(57)【要約】【課題】効率的に上りリンク送信を実行することができる【解決手段】端末装置は、上りリンクＬＢＴ手順を行い、ＬＡＡセルにおけるメッセージ３の送信のために１つ、または、それより多いサブフレームが割り当てられ、割り当てられた１つ、または、それより多いサブフレームの全てに対して、チャネルがビジーと判断された場合、ランダムアクセスプリアンブルの送信に対するＬＢＴ手順を開始する。【選択図】図５
2020010075.tif 000002
【特許請求の範囲】
【請求項１】
上りリンクＬＢＴ手順を行うチャネル測定部と、
ＬＡＡセルにおいてメッセージ３を送信する送信処理部と、を備え、
前記メッセージ３の送信のために１つ、または、それより多いサブフレームが割り当てられ、
前記送信処理部は、前記１つ、または、それより多いサブフレームの全てに対して、チャネルがビジーと判断された場合、ランダムアクセスプリアンブルの送信に対するＬＢＴ手順を開始する
端末装置。
【請求項２】
前記割り当てられた１つ、または、それより多いサブフレームにおいて、チャネルがアイドルと最初に判断されたサブフレームにおいて、前記メッセージ３が送信され、チャネルがアイドルと最初に判断されたサブフレーム以外の前記割り当てられたサブフレームにおいて、前記メッセージ３が送信されない
請求項１の端末装置。
【請求項３】
前記メッセージ３の送信のために割り当てられるサブフレーム、および／または、割り当てられたサブフレーム間の間隔は少なくとも以下の要素の一部、または、全部に基づいて、与えられ
（ｉ）ランダムアクセスレスポンスグラント
（ｉｉ）ＲＲＣメッセージ、または、ＲＲＣ層のパラメータ
前記割り当てられるサブフレームは１つ、または、それより多いサブフレームを含み、
前記割り当てられたサブフレーム間の間隔の値はサブフレーム数として定義される
請求項２の端末装置。
【請求項４】
前記メッセージ３の送信のために割り当てられるサブフレームが１つより多い場合、前記１つより多いサブフレームは連続して割り当てられてもよいし、非連続に割り当てられてもよい
請求項３の端末装置。
【請求項５】
メッセージ３送信に用いられるサブフレームを割り当てる無線リソース制御部と、
ＬＡＡセルにおいてメッセージ３を受信する受信処理部と、を備え、
前記メッセージ３の送信のために１つ、または、それより多いサブフレームが割り当てられ、
前記受信処理部は、前記１つ、または、それより多いサブフレームの全てにおいて、前記メッセージ３の受信ができなかった場合、ランダムアクセスプリアンブル送信を受信する
基地局装置。
【請求項６】
前記割り当てられた１つ、または、それより多いサブフレームにおいて、前記メッセージ３が受信された場合、前記メッセージ３が受信されたサブフレームより後の前記割り当てられたサブフレームにおいて、前記メッセージ３が受信されない
請求項５の基地局装置。
【請求項７】
端末装置に用いられる通信方法であって、
上りリンクＬＢＴ手順を行い、
ＬＡＡセルにおいてメッセージ３を送信し、
前記メッセージ３の送信のために１つ、または、それより多いサブフレームが割り当てられ、
送信処理部は、前記１つ、または、それより多いサブフレームの全てに対して、チャネルがビジーと判断された場合、ランダムアクセスプリアンブルの送信に対するＬＢＴ手順を開始する
通信方法。
【請求項８】
基地局装置に用いられる通信方法であって、
メッセージ３送信に用いられるサブフレームを割り当て、
ＬＡＡセルにおいてメッセージ３を受信し、
前記メッセージ３送信のために１つ、または、それより多いサブフレームが割り当てられ、
受信処理部は、前記１つ、または、それより多いサブフレームの全てにおいて、前記メッセージ３の受信ができなかった場合、ランダムアクセスプリアンブルの送信を受信する
通信方法。
【請求項９】
端末装置に実装される集積回路であって、
上りリンクＬＢＴ手順を行うチャネル測定回路と、
ＬＡＡセルにおいてメッセージ３を送信する送信処理回路と、を備え、
前記メッセージ３の送信のために１つ、または、それより多いサブフレームが割り当てられ、
前記送信処理回路は、前記１つ、または、それより多いサブフレームの全てに対して、チャネルがビジーと判断された場合、ランダムアクセスプリアンブルの送信に対するＬＢＴ手順を開始する
集積回路。
【請求項１０】
基地局装置に実装される集積回路であって、
メッセージ３送信に用いられるサブフレームを割り当てる無線リソース制御回路と、
ＬＡＡセルにおいてメッセージ３を受信する受信処理回路と、を備え、
前記メッセージ３の送信のために１つ、または、それより多いサブフレームが割り当てられ、
前記受信処理回路は、前記１つ、または、それより多いサブフレームの全てにおいて、前記メッセージ３の受信ができなかった場合、ランダムアクセスプリアンブルの送信を受信する
集積回路。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Long Term Evolution （LTE: 登録商標）」、または、「Evolved UniversalTerrestrial Radio Access : EUTRA」と称する。）が、第三世代パートナーシッププロジェクト（3rd Generation Partnership Project: 3GPP）において検討されている。ＬＴＥでは、基地局装置をｅＮ
ｏｄｅＢ（evolved NodeB）、端末装置をＵＥ（User Equipment）とも称する。ＬＴＥは
、基地局装置がカバーするエリアをセル状に複数配置するセルラー通信システムである。単一の基地局装置は複数のセルを管理してもよい。
【０００３】
ＬＴＥリリース１３において、端末装置が複数のサービングセル（コンポーネントキャリア）において同時に送信、および／または、受信を行う技術であるキャリアアグリゲーションが仕様化されている（非特許文献１、２、３）。ＬＴＥリリース１４において、ライセンス補助アクセス（LAA: Licensed Assisted Access）の機能拡張、および、アンラ
イセンスバンド（unlicensed band）における上りリンクコンポーネントキャリアを用い
たキャリアアグリゲーションが検討されている（非特許文献４）。また、アンライセンスバンド（unlicensedband）における上りリンクコンポーネントキャリアを用いたランダ
ムアクセスが検討されている。特にアンライセンスバンドにおいて、メッセージ３の送信が、ＬＢＴなどに影響を受け、効率的に行わない可能性がある。
【先行技術文献】
【非特許文献】
【０００４】
【非特許文献１】"3GPP TS 36.211 V13.1.0 (2016-03)",29th March, 2016.
【非特許文献２】"3GPP TS 36.212 V13.1.0 (2016-03)",29th March, 2016.
【非特許文献３】"3GPP TS 36.213 V13.1.1 (2016-03)",31th March, 2016.
【非特許文献４】"New Work Item on enhanced LAA forLTE", RP-152272, Ericsson, Huawei, 3GPP TSG RANMeeting#70, Sitges, Spain, 7th - 10th December 2015.
【発明の概要】
【発明が解決しようとする課題】
【０００５】
本発明は、効率的に上りリンク送信を行うことができる端末装置、該端末装置に用いられる通信方法、該端末装置に実装される集積回路、効率的に上りリンク送信の受信を行うことができる基地局装置、該基地局装置に用いられる通信方法、および、該基地局装置に実装される集積回路を提供する。
【課題を解決するための手段】
【０００６】
（１）本発明の態様は、以下のような手段を講じた。すなわち、本発明の第１の態様は端末装置であって、上りリンクＬＢＴ手順を行うチャネル測定部と、ＬＡＡセルにおいてメッセージ３を送信する送信処理部と、を備え、前記メッセージ３の送信のために１つ、または、それより多いサブフレームが割り当てられ、前記送信処理部は、前記１つ、または、それより多いサブフレームの全てに対して、チャネルがビジーと判断した場合、ランダムアクセスプリアンブルの送信に対するＬＢＴ手順を開始する。
【０００７】
（２）本発明の第２の態様は、端末装置と通信する基地局装置であって、メッセージ３送信に用いられるサブフレームを割り当てる無線リソース制御部と、ＬＡＡセルにおいてメッセージ３を受信する受信処理部と、を備え、前記メッセージ３の送信のために１つ、または、それより多いサブフレームが割り当てられ、前記受信処理部は、前記１つ、または、それより多いサブフレームの全てにおいて、前記メッセージ３の受信ができなかった場合、ランダムアクセスプリアンブル送信を受信する。
【０００８】
（３）本発明の第３の態様は、端末装置に用いられる通信方法であって、上りリンクＬＢＴ手順を行い、ＬＡＡセルにおいてメッセージ３を送信し、前記メッセージ３の送信のために１つ、または、それより多いサブフレームが割り当てられ、前記送信処理部は、前記１つ、または、それより多いサブフレームの全てに対して、チャネルがビジーと判断された場合、ランダムアクセスプリアンブルの送信に対するＬＢＴ手順を開始する。
【０００９】
（４）本発明の第４の態様は、端末装置と通信する基地局装置に用いられる通信方法であって、メッセージ３送信に用いられるサブフレームを割り当て、ＬＡＡセルにおいてメッセージ３を受信し、前記メッセージ３送信のために１つ、または、それより多いサブフレームが割り当てられ、前記受信処理部は、前記１つ、または、それより多いサブフレームの全てにおいて、前記メッセージ３の受信ができなかった場合、ランダムアクセスプリアンブルの送信を受信する。
【００１０】
（５）本発明の第５の態様は、端末装置に実装される集積回路であって、上りリンクＬＢＴ手順を行うチャネル測定回路と、ＬＡＡセルにおいてメッセージ３を送信する送信処理回路と、を備え、前記メッセージ３の送信のために１つ、または、それより多いサブフレームが割り当てられ、前記送信処理回路は、前記１つ、または、それより多いサブフレームの全てに対して、チャネルがビジーと判断された場合、ランダムアクセスプリアンブルの送信に対するＬＢＴ手順を開始する。
【００１１】
（６）本発明の第６の態様は、基地局装置に実装される集積回路であって、メッセージ３送信に用いられるサブフレームを割り当てる無線リソース制御回路と、ＬＡＡセルにおいてメッセージ３を受信する受信処理回路と、を備え、前記メッセージ３の送信のために１つ、または、それより多いサブフレームが割り当てられ、前記受信処理回路は、前記１つ、または、それより多いサブフレームの全てにおいて、前記メッセージ３の受信ができなかった場合、ランダムアクセスプリアンブルの送信を受信する。
【発明の効果】
【００１２】
この発明によれば、端末装置は効率的に上りリンク送信を行うことができる。また、基地局装置は効率的に上りリンク送信を受信することができる。
【図面の簡単な説明】
【００１３】
【図１】本実施形態の無線通信システムの概念図である。
【図２】本実施形態の無線フレームの概略構成を示す図である。
【図３】本実施形態における上りリンクスロットの概略構成を示す図である。
【図４】本実施形態の基地局装置３の構成を示す概略ブロック図である。
【図５】本実施形態の端末装置１の構成を示す概略ブロック図である。
【図６】本実施形態におけるＰＵＳＣＨのスケジューリングの一例を示す図である。
【図７】本実施形態における非コンテンションベースランダムアクセス手順の一例を示す図である。
【図８】本実施形態におけるランダムアクセスレスポンスグラントに基づくＰＵＳＣＨ送信を行う一例を示す図である。
【図９】本実施形態におけるコンテンションベースランダムアクセス手順の一例を示す図である。
【図１０】本実施形態におけるメッセージ３送信の一例を示す図である。
【図１１】本実施形態におけるメッセージ３送信を行う他の一例を示す図である。
【発明を実施するための形態】
【００１４】
以下、本発明の実施形態について説明する。
【００１５】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００１６】
基地局装置３は端末装置１が該基地局装置３で通信可能なエリアであるセルを周波数毎に管理する。１つの基地局装置３が複数のセルを管理していてもよい。セルは、端末装置１と通信可能なエリアの大きさ（セルサイズ）に応じて複数の種別に分類される。例えば、セルは、マクロセルとスモールセルに分類される。さらに、スモールセルは、そのエリアの大きさに応じて、フェムトセル、ピコセル、ナノセルに分類される。また、端末装置１がある基地局装置３と通信可能であるとき、その基地局装置３のセルのうち、端末装置１との通信に使用されるように設定されているセルは在圏セル（Ｓｅｒｖｉｎｇ  ｃｅｌｌ、サービングセル）であり、その他の通信に使用されないセルは周辺セル（Ｎｅｉｇｈｂｏｒｉｎｇ  ｃｅｌｌ）と称される。
【００１７】
以下、キャリアアグリゲーションについて説明する。
【００１８】
本実施形態では、端末装置１は、複数のサービングセルが設定される。端末装置１が複数のサービングセルを介して通信する技術をセルアグリゲーション、またはキャリアアグリゲーションと称する。端末装置１に対して設定される複数のサービングセルのそれぞれにおいて、本発明が適用されてもよい。また、設定された複数のサービングセルの一部において、本発明が適用されてもよい。また、設定された複数のサービングセルのグループのそれぞれにおいて、本発明が適用されてもよい。また、設定された複数のサービングセルのグループの一部において、本発明が適用されてもよい。複数のサービングセルは、少なくとも１つのプライマリセルを含む。複数のサービングセルは、１つ、または、複数のセカンダリセルを含んでもよい。複数のサービングセルは、１つ、または、複数のＬＡＡ（Licensed Assisted Access）セルを含んでもよい。ＬＡＡセルを、ＬＡＡセカンダリセルとも称する。
【００１９】
プライマリセルは、初期コネクション確立（initial connection establishment）手順が行なわれたサービングセル、コネクション再確立（connection re-establishment）手
順を開始したサービングセル、または、ハンドオーバ手順においてプライマリセルと指示されたセルである。ＲＲＣ（RadioResource Control）コネクションが確立された時点、または、後に、セカンダリセル、および／または、ＬＡＡセルが設定されてもよい。プライマリセルは、ライセンスバンド（licensed band）に含まれてもよい。ＬＡＡセルは、
アンライセンスバンド（unlicensed band）に含まれてもよい。セカンダリセルは、ライ
センスバンド、および、アンライセンスバンドの何れに含まれてもよい。なお、ＬＡＡセルはプライマリセルとして設定されてもよい。また、ＬＡＡセルはセカンダリセルとして設定されてもよい。
【００２０】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００２１】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００２２】
以下では、デュアルコネクティビティの基本構造（アーキテクチャー）について説明する。例えば、端末装置１が、複数の基地局装置３と同時に接続している場合を説明する。例えば、１つの基地局装置３はマクロセルを構成する基地局装置であり、他の１つの基地局装置３はスモールセルを構成する基地局装置である。このように、端末装置１が、複数の基地局装置３に属する複数のセルを用いて同時に接続することをデュアルコネクティビティと称する。各基地局装置３に属するセルは同じ周波数で運用されていてもよいし、異なる周波数で運用されていてもよい。
【００２３】
デュアルコネクティビティにおいて、コアネットワークのモビリティアンカーの役割を果たす基地局装置３をマスター基地局装置（ＭｅＮＢ：Master eNB）と称される。また、端末装置１に対して追加の無線リソースを提供するマスター基地局装置ではない基地局装置３をセカンダリー基地局装置（ＳｅＮＢ：Secondary eNB）と称される。マスター基地局装置に関連されるサービングセルのグループをマスターセルグループ（ＭＣＧ：Master Cell Group）、セカンダリー基地局装置に関連されるサービングセルのグループをセカンダリーセルグループ（ＳＣＧ：Secondary Cell Group）と称される場合もある。なお、セルグループは、サービングセルグループであってもよい。
【００２４】
デュアルコネクティビティにおいて、プライマリセルは、ＭＣＧに属する。また、ＳＣＧにおいて、プライマリセルに相当するセカンダリセルをプライマリセカンダリセル（ｐＳＣｅｌｌ：Primary Secondary Cell）と称する。なお、ＰＳＣｅｌｌをスペシャルセルやスペシャルセカンダリーセル（Ｓｐｅｃｉａｌ  ＳＣｅｌｌ：Ｓｐｅｃｉａｌ  Ｓｅｃｏｎｄａｒｙ  Ｃｅｌｌ）と称する場合もある。スペシャルＳＣｅｌｌ（スペシャルＳＣｅｌｌを構成する基地局装置）には、ＰＣｅｌｌ（ＰＣｅｌｌを構成する基地局装置）の機能の一部（例えば、ＰＵＣＣＨを送受信する機能など）がサポートされてもよい。また、ｐＳＣｅｌｌには、ＰＣｅｌｌの一部の機能だけがサポートされてもよい。例えば、ｐＳＣｅｌｌには、ＰＤＣＣＨを送信する機能がサポートされてもよい。また、ｐＳＣｅｌｌには、ＣＳＳ（共通サーチスペース）またはＵＳＳ（ＵＥ個別サーチスペース）とは異なるサーチスペースを用いて、ＰＤＣＣＨ送信を行なう機能がサポートされてもよい。例えば、ＵＳＳとは異なるサーチスペースは、仕様で規定された値に基づいて決まるサーチスペース、Ｃ−ＲＮＴＩとは異なるＲＮＴＩに基づいて決まるサーチスペース、ＲＮＴＩとは異なる上位レイヤーで設定される値に基づいて決まるサーチスペースなどである。また、ｐＳＣｅｌｌは、常に、起動の状態であってもよい。また、ｐＳＣｅｌｌは、ＰＵＣＣＨを受信できるセルである。デュアルコネクティビティにおいて、ＬＡＡセルはＭＣＧに属するプライマリセルとして設定されてもよい。また、デュアルコネクティビティにおいて、ＬＡＡセルはＭＣＧに属するセカンダリセルとして設定されてもよい。また、デュアルコネクティビティにおいて、ＬＡＡセルはＳＣＧに属するプライマリセカンダリセルとして設定されてもよい。また、デュアルコネクティビティにおいて、ＬＡＡセルはＳＣＧに属するセカンダリセルとして設定されてもよい。
【００２５】
なお、キャリアアグリゲーションは、複数のセルを一つの基地局装置３が管理し、各セルの周波数が異なるという点がデュアルコネクティビティと異なる。換言すると、キャリアアグリゲーションは、１つの端末装置１と１つの基地局装置３とを、周波数が異なる複数のセルを介して接続させる技術であるのに対し、デュアルコネクティビティは、１つの端末装置１と複数の基地局装置３とを、周波数が同じまたは異なる複数のセルを介して接続させる技術である。また、ＭＣＧとＳＣＧのそれぞれに対して、キャリアアグリゲーションが適用されてもよい。
【００２６】
ＬＡＡセルは、デュアルコネクティビティが適用されてもよい。
【００２７】
以下では、ＬＡＡセルおよびＬＢＴの詳細について説明する。
【００２８】
ＬＡＡセルが用いる周波数は、他の通信システムおよび／または他のＬＴＥオペレータと共用される。周波数の共用において、ＬＡＡセルは、他の通信システムおよび／または他のＬＴＥオペレータとの公平性が必要になる。例えば、ＬＡＡセルで用いられる通信方式において、公平な周波数共用技術（方法）が必要である。換言すると、ＬＡＡセルは、公平な周波数共用技術が適用できる（用いられる）通信方式（通信手順）を行うセルである。
【００２９】
公平な周波数共用技術の一例は、ＬＢＴ（Listen-Before-Talk）である。ＬＢＴは、ある基地局装置３または端末装置１がある周波数（コンポーネントキャリア、キャリア、セル、チャネル、媒体）を用いて信号を送信する前に、ある基地局装置３または端末装置１がその周波数の干渉電力（干渉信号、受信電力、受信信号、雑音電力、雑音信号）などを測定（検出）することにより、その周波数がアイドル状態（空いている状態、混雑していない状態、Absence、Clear）であるか、またはビジー状態（空いていない状態、混雑している状態、Presence、Occupied）であるかを、識別（検出、想定、決定）する手順を含む。ＬＢＴに基づいて、その周波数がアイドル状態であると識別された場合、ある基地局装置３または端末装置１はそのＬＡＡセルの周波数における所定のタイミングで信号を送信することができる。ＬＢＴに基づいて、その周波数がビジー状態であると識別された場合、ある基地局装置３または端末装置１はそのＬＡＡセルの周波数における所定のタイミングでは信号を送信しない。ＬＢＴによって、ある基地局装置３または端末装置１が送信する信号が、他の通信システムおよび／または他のＬＴＥオペレータを含む他の基地局および／または端末が送信している信号に対して、干渉しないように制御できる。なお、下りリンク送信の前に基地局装置３が行うＬＢＴを下りリンクＬＢＴ、上りリンク送信の前に端末装置１が行うＬＢＴを上りリンクＬＢＴと呼称される。また、サイドリンク送信のために端末装置１が行うＬＢＴをサイドリンクＬＢＴと呼称してもよい。ここで、ＬＢＴは、ＣＣＡ（Clear Channel Assessment）であってもよい。ＬＢＴは、チャネルセンシングであってもよい。ＬＢＴは、チャネルアクセス（Channel access、キャリアセンス）とも呼称される。
【００３０】
ＬＢＴにおいて、アイドルであるかビジーであるかは、ある周波数における干渉電力が、あるしきい値を超えるかどうかに基づいて決定されてもよい。また、ＬＢＴにおいて、アイドルであるかビジーであるかは、ある周波数における所定の信号またはチャネルの受信電力が、あるしきい値を超えるかどうかに基づいて決定されてもよい。また、ＬＢＴにおいて、そのしきい値は予め規定されてもよい。また、ＬＢＴにおいて、そのしきい値は基地局または他の端末から設定されてもよい。また、ＬＢＴにおいて、そのしきい値は送信電力（最大送信電力）などの他の値（パラメータ）に少なくとも基づいて決定（設定）されてもよい。また、ＬＢＴにおいて、アイドルであるかビジーであるかは、ある周波数における所定のチャネルが復号できたか否かに基づいて与えられてもよい。
【００３１】
下りリンクＬＢＴは、基地局装置３が１、または、複数のＬＢＴを行う手順を含む。一方で、上りリンクＬＢＴは、端末装置１が１、または、複数のＬＢＴを行う手順を含む。下りリンクＬＢＴは、下りリンクにおいて送信可能な情報（データ、バッファ、ロード、トラヒック）が発生した場合に、ＬＢＴの処理が開始される手順を含む。一方で、上りリンクＬＢＴは、基地局装置３からの上りリンク送信の指示がされた場合（上りリンクグラントを受信した場合）に、ＬＢＴの処理が開始される手順を含んでもよい。
【００３２】
上りリンクＬＢＴ手順のタイプ（LBT Type）はタイプ１（channel access Type 1）とタイプ２（channel accessType 2）に少なくとも分類される。上りリンクＬＢＴ手順のタイプ１はＬＢＴ  ｃａｔｅｇｏｒｙ４を含んでもよい。上りリンクＬＢＴ手順のタイプ２は２５マイクロ秒ＣＣＡ（LBT category 2）を含んでもよい。
【００３３】
タイプ１の上りリンクＬＢＴ手順は、端末装置１がファーストセンシング（first sensing、１度のＣＣＡ）を行ってチャネルがアイドルであったと判断した場合、その後端末装置１がまたカウンタ（counter）に示される所定回数Ｎ回のＬＢＴを行う手順を含む。
【００３４】
詳しく言うと、ファーストセンシングでは、端末装置１は、デファ期間（defer duration）内のスロットデュレーション（slot duration）でチャネルセンシングを行い、他の信号の有無かを感知する。ファーストセンシングを行った結果、チャネルがアイドルであったと判断した場合、端末装置１は以下のプロセスを行ってもよい。
【００３５】
（ｉ）端末装置１はコンテンションウィンドウ（contention window）の値に基づいてランダムにカウンタ値Ｎを生成する。
【００３６】
（ｉｉ）カウンタ値が０ではない場合には、端末装置１は、Ｎ＝Ｎ−１のように、カウンタ値Ｎを１つ減らす。
【００３７】
（ｉｉｉ）端末装置１は１つのスロットデュレーション（slot duration）でＬＢＴを行い、そのチャネルがアイドルかビジーかを判断する。端末装置１がそのチャネルがアイドルと判断した場合、（ｉｖ）へ移行する。端末装置１がそのチャネルがビジーと判断した場合、（ｖ）へ移行する。
【００３８】
（ｉｖ）カウンタ値Ｎが０になった場合、端末装置１は、そのチャネルのアクセス権を獲得し、上りリンクの送信を行ってもよい。カウンタ値Ｎが０ではない場合、端末装置１は（ｉｉ）に戻る。
【００３９】
（ｖ）端末装置１は、１つのデファ期間（defer duration）内に含まれるすべてのスロットデュレーションでチャネルセンシングを行い、それらのチャネルがアイドルかビジーかを判断する。
【００４０】
端末装置１は、プロセス（ｖ）において、チャネルセンシングに基づき１つのデファ期間（deferduration）内に含まれるすべてのスロットデュレーションでチャネルがアイドルであると判断された場合、（ｉｖ）へ移行する。チャネルセンシングに基づき１つのデファ期間（defer duration）内に含まれる少なくとも１つのスロットデュレーションでチャネルがビジーであると判断された場合、（ｖ）に戻る。
【００４１】
ここで、スロットデュレーション（slot duration）Ｔｓｌは９マイクロ秒から９マイクロ秒＋Ｔｓまでの間であってもよい。デファ期間（defer duration）ＴｄはＴｆ＋ｍｐ＊Ｔｓｌに定義される。例えば、Ｔｆは１６マイクロ秒から１６マイクロ秒＋Ｔｓまでの間であってもよい。ｍｐの値はチャネルアクセスプライオリティクラス（channel access priority class）に基づいて、決定される。チャネルアクセスプライオリティクラスは上りリンクグラントによって通知されてもよい。また、チャネルアクセスプライオリティクラスはＲＲＣシグナリングによって通知されてもよい。ここで、Ｔｓはベーシックタイムユニット（basic time unit）であり、１／（１５０００＊２０４８）秒である。
【００４２】
タイプ２の上りリンクＬＢＴ手順において、少なくとも１つのセンシングインタバル（sensinginterval）において実施されるＬＢＴに基づき、チャネルがアイドルかビジーかが与えられる。端末装置１がセンシングインタバルでチャネルがアイドルであったと判断した場合、端末装置１はそのチャネルのアクセス権を獲得し、上りリンクの送信を行ってもよい。また、端末装置１がセンシングインタバルでチャネルがビジーであったと判断した場合、端末装置１はそのチャネルのアクセス権を獲得せず、上りリンクの送信を行わなくてもよい。ここで、センシングインタバルは２５マイクロであってもよい。
【００４３】
次に本実施形態の物理チャネルおよび物理信号について説明する。
【００４４】
図１において、端末装置１から基地局装置３への上りリンクの無線通信（上りリンク送信）では、以下の上りリンク物理チャネルが用いられる。上りリンク物理チャネルは、上位層から出力された情報を送信するために使用される。以下、上位層はＲＲＣ層、および／または、ＭＡＣ層を含んでもよい。
・ＰＵＳＣＨ（Physical Uplink Shared Channel）
・ＰＲＡＣＨ（Physical Random Access Channel）
・ＰＵＣＣＨ（Physical Uplink Control Channel）
ＰＵＳＣＨは、上りリンクデータ（Transport block, Uplink-SharedChannel: UL-SCH）、下りリンクのＣＳＩ（Channel State Information）、および／または、ＨＡＲＱ−ＡＣＫ（Hybrid Automatic Repeat reQuest）を送信するために用いられる。ＣＳＩ、および、ＨＡＲＱ−ＡＣＫは、上りリンク制御情報（Uplink Control Information: UCI）である。
【００４５】
ＣＳＩは、チャネル品質指標（Channel Quality Indicator: CQI）、ＲＩ（Rank Indicator）、および、ＰＭＩ（Precoding Matrix Indicator）を含む。ＣＱＩは、ＰＤＳＣＨで送信される単一のトランスポートブロックに対する、変調方式と符号化率の組合せを表現する。ＲＩは、端末装置１によって決定される有効なレイヤーの数を示す。ＰＭＩは、端末装置１によって決定されるコードブックを示す。該コードブックは、ＰＤＳＣＨのプリコーディングに関連する。
【００４６】
ＨＡＲＱ−ＡＣＫは、下りリンクデータ（Transport block, Medium AccessControl Protocol Data Unit: MAC PDU, Downlink-Shared Channel: DL-SCH, PhysicalDownlink Shared Channel: PDSCH）に対応する。ＨＡＲＱ−ＡＣＫは、ＡＣＫ（acknowledgement）
またはＮＡＣＫ（negative-acknowledgement）を示す。ＨＡＲＱ−ＡＣＫを、ＡＣＫ／ＮＡＣＫ、ＨＡＲＱフィードバック、ＨＡＲＱ応答、ＨＡＲＱ情報、または、ＨＡＲＱ制御情報とも称する。
【００４７】
ＰＲＡＣＨは、ランダムアクセスに用いられるプリアンブル（ランダムアクセスプリアンブル）を送信するために用いられる。ＰＲＡＣＨは、初期コネクション確立（ｉｎｉｔｉａｌ  ｃｏｎｎｅｃｔｉｏｎ  ｅｓｔａｂｌｉｓｈｍｅｎｔ）プロシージャ、ハンドオーバプロシージャ、コネクション再確立（ｃｏｎｎｅｃｔｉｏｎ  ｒｅ−ｅｓｔａｂｌｉｓｈｍｅｎｔ）プロシージャ、上りリンク送信に対する同期（タイミング調整）、およびＰＵＳＣＨ（ＵＬ−ＳＣＨ）リソースの要求を示すために用いられる。ＰＲＡＣＨは、端末装置１が基地局装置３（または、セル）へアクセスするために用いられる。
【００４８】
ＰＵＣＣＨは、上りリンク制御情報（Uplink Control Information : UCI）を送信するために用いられる。ここで、上りリンク制御情報には、下りリンクに対するチャネル状態情報（Channel State Information : CSI）が含まれてもよい。また、上りリンク制御情報には、ＵＬ−ＳＣＨのリソースを要求するために用いられるスケジューリング要求（Scheduling Request : SR）が含まれてもよい。また、上りリンク制御情報には、ＨＡＲＱ−ＡＣＫ（Hybrid Automatic Repeat request ACKnowledgement）が含まれてもよい。
【００４９】
図１において、上りリンクの無線通信では、以下の上りリンク物理信号が用いられる。ここで、上りリンク物理信号は、上位層から出力された情報を送信するために使用されないが、物理層によって使用される。
・上りリンク参照信号（Uplink Reference Signal : UL RS）
本実施形態において、以下の２つのタイプの上りリンク参照信号が用いられる。
・ＤＭＲＳ（Demodulation Reference Signal）
・ＳＲＳ（Sounding Reference Signal）
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００５０】
ＳＲＳは、ＰＵＳＣＨまたはＰＵＣＣＨの送信に関連しない。基地局装置３は、チャネル状態の測定のためにＳＲＳを用いてもよい。ＳＲＳは、上りリンクサブフレームにおける最後のＳＣ−ＦＤＭＡシンボル、または、ＵｐＰＴＳにおけるＳＣ−ＦＤＭＡシンボルにおいて送信される。
【００５１】
図１において、基地局装置３から端末装置１への下りリンクの無線通信（下りリンク送信）では、以下の下りリンク物理チャネルが用いられる。下りリンク物理チャネルは、上位層から出力された情報を送信するために使用される。
・ＰＤＣＣＨ（Physical Downlink Control Channel）
・ＰＤＳＣＨ（Physical Downlink Shared Channel）
ＰＤＳＣＨは、下りリンクデータ（Transport block, Downlink-SharedChannel: DL-SCH）を送信するために用いられる。
【００５２】
ＰＤＣＣＨは、下りリンク制御情報（Downlink Control Information: DCI）を送信するために用いられる。下りリンク制御情報を、ＤＣＩフォーマットとも称する。下りリンク制御情報は、上りリンクグラント（uplink grant）、および、下りリンクグラント（downlink grant）を含む。上りリンクグラントは、単一のセル内の単一のＰＵＳＣＨのスケジューリングに用いられてもよい。上りリンクグラントは、単一のセル内の連続する複数のサブフレームにおける複数のＰＵＳＣＨのスケジューリングに用いられてもよい。上りリンクグラントは、該上りリンクグラントが送信されたサブフレームより４つ以上後のサブフレーム内の単一のＰＵＳＣＨのスケジューリングに用いられてもよい。下りリンクグラントは、単一のセル内の単一のＰＤＳＣＨのスケジューリングに用いられてもよい。下りリンクグラントを、下りリンクアサインメントとも称する。
【００５３】
ＤＣＩフォーマット０Ａは、ＬＡＡセルにおけるＰＵＳＣＨのスケジューリングのために用いられてもよい。ＤＣＩフォーマット０Ｂは、ＬＡＡセルにおける複数のサブフレームのそれぞれにおけるＰＵＳＣＨのスケジューリングのために用いられてもよい。ＤＣＩフォーマット０Ａ、および、ＤＣＩフォーマット０Ｂのそれぞれは、上りリンクグラントを含む。ＤＣＩフォーマット０Ａ、および、ＤＣＩフォーマット０Ｂのそれぞれは、‘PUSCH trigger A’フィールド、 ‘Timing offset’フィールドを含んでもよい。ＤＣＩフ
ォーマット０Ａ、および、ＤＣＩフォーマット０Ｂのそれぞれは、ＰＵＳＣＨのスケジューリング情報を含んでもよい。ＰＵＳＣＨのスケジューリング情報は、ＰＵＳＣＨのためのリソースブロック割当を示すための情報、ＰＵＳＣＨのための送信電力制御コマンド、ＰＵＳＣＨのための変調方式を示すための情報、ＰＵＳＣＨのためのトランスポートブロックのサイズを示すための情報を含んでもよい。
【００５４】
ＤＣＩフォーマット１Ａは、ＬＡＡセルにおけるＰＤＳＣＨのスケジューリングのために用いられてもよい。ＤＣＩフォーマット１Ａは、下りリンクグラントを含む。
【００５５】
ＤＣＩフォーマット１Ｃは、ＬＡＡ共通情報のために用いられる。ＬＡＡ共通情報は、‘Uplink transmissionduration and offset indication’、および／または、‘PUSCH triggerB’を含んでもよい。ＤＣＩフィーマット１Ｃは、上記のＰＵＳＣＨのスケジューリング情報を含まない。
【００５６】
１つのＰＤＣＣＨで送信される下りリンク制御情報に付加されるＣＲＣ（Cyclic RedundancyCheck）パリティビットは、Ｃ−ＲＮＴＩ（Cell Radio Network TemporaryIdentifier）、Ｔｅｍｐｏｒａｒｙ  Ｃ−ＲＮＴＩ、ＲＡ−ＲＮＴＩ（Random AccessRadio Network Temporary Identifier）、または、ＣＣ−ＲＮＴＩ（CommonControl Radio Network Temporary Identifier）によってスクランブルされてもよい。
【００５７】
Ｃ−ＲＮＴＩは、セル内において端末装置を識別するための識別子である。Ｃ−ＲＮＴＩは、単一のサブフレームにおけるＰＤＳＣＨ送信、または、ＰＵＳＣＨ送信を制御するために用いられる。Ｃ−ＲＮＴＩは、動的にスケジュールされるユニキャスト送信（ＰＤＳＣＨ送信、または、ＰＵＳＣＨ送信）のために用いられる。基地局装置３は、端末装置１におけるＣ−ＲＮＴＩの決定のために用いられる情報を、端末装置１に送信してもよい。上りリンクグラント、または、下りリンクグラントを含むＤＣＩフォーマット（例えば、ＤＣＩフォーマット０Ａ、ＤＣＩフォーマット０Ｂ、ＤＣＩフォーマット１Ａなど）に付加されるＣＲＣパリティビットは、Ｃ−ＲＮＴＩによってスクランブルされてもよい。
【００５８】
Ｔｅｍｐｏｒａｒｙ  Ｃ−ＲＮＴＩは、コンテンションベースランダムアクセス手順（contentionbased random access procedure）の間に用いられる。Ｔｅｍｐｏｒａｒｙ  Ｃ−ＲＮＴＩは、単一のサブフレームにおけるＰＤＳＣＨ送信、または、ＰＵＳＣＨ送信を制御するために用いられる。
【００５９】
ＲＡ−ＲＮＴＩは、ランダムアクセス手順（contention based random accessprocedure）の間に用いられる。ＲＡ−ＲＮＴＩは、単一のサブフレームにおけるＰＤＳＣＨ送信を制御するために用いられる。
【００６０】
ＣＣ−ＲＮＴＩは、ＬＡＡ共通情報のために用いられる。ＣＣ−ＲＮＴＩの値は、仕様書などによって予め決められた値であってもよい。ＬＡＡ共通情報のために用いられるＤＣＩフォーマット１Ｃに付加されるＣＲＣパリティビットは、ＣＣ−ＲＮＴＩによってスクランブルされてもよい。
【００６１】
ＵＬ−ＳＣＨ、および、ＤＬ−ＳＣＨは、トランスポートチャネルである。媒体アクセス制御（MediumAccess Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol DataUnit）とも称する。
【００６２】
本実施形態のＰＵＳＣＨ（ＵＬ−ＳＣＨ）に対して非同期ＨＡＲＱが適用されてもよい。
【００６３】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・下りリンク参照信号（Downlink Reference Signal: DL RS）
同期信号は、端末装置１が下りリンクの周波数領域および時間領域の同期をとるために用いられる。
【００６４】
下りリンク参照信号は、端末装置１が下りリンク物理チャネルの伝搬路補正を行なうために用いられる。ここで、下りリンク参照信号は、端末装置１が下りリンクのチャネル状態情報を算出するために用いられる。
【００６５】
以下、本実施形態の無線フレーム（radio frame）の構成について説明する。
【００６６】
図２は、本実施形態の無線フレームの概略構成を示す図である。図２において、横軸は時間軸である。無線フレームのそれぞれは、１０ｍｓ長である。また、無線フレームのそれぞれは１０のサブフレームから構成される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００６７】
以下、本実施形態のスロットの構成の一例について説明する。図３は、本実施形態における上りリンクスロットの概略構成を示す図である。図３において、１つのセルにおける上りリンクスロットの構成を示す。図３において、横軸は時間軸であり、縦軸は周波数軸である。図３において、ｌはＳＣ−ＦＤＭＡシンボル番号／インデックスであり、ｋはサブキャリア番号／インデックスである。
【００６８】
スロットのそれぞれにおいて送信される物理信号または物理チャネルは、リソースグリッドによって表現される。上りリンクにおいて、リソースグリッドは複数のサブキャリアと複数のＳＣ−ＦＤＭＡシンボルによって定義される。リソースグリッド内のエレメントのそれぞれをリソースエレメントと称する。リソースエレメントは、サブキャリア番号／インデックスｋ、および、ＳＣ−ＦＤＭＡシンボル番号／インデックスｌによって表される。
【００６９】
上りリンクスロットは、時間領域において、複数のＳＣ−ＦＤＭＡシンボルｌ（l=0,1,…,NULsymb）を含む。NULsymbは、１つの上りリンクスロットに含まれるＳＣ−ＦＤＭＡシンボルの数を示す。上りリンクにおけるノーマルＣＰ（normal Cyclic Prefix）に対して、NULsymbは７である。上りリンクにおける拡張ＣＰ（extended ＣＰ）に対して、NULsymbは６である。
【００７０】
端末装置１は、上りリンクにおけるＣＰ長を示すパラメータUL-CyclicPrefixLengthを基地局装置３から受信する。基地局装置３は、セルに対応する該パラメータUL-CyclicPrefixLengthを含むシステムインフォメーションを、該セルにおいて報知してもよい。
【００７１】
上りリンクスロットは、周波数領域において、複数のサブキャリアｋ（k=0,1,…,NULRB×NRBsc)を含む。NULRBは、NRBscの倍数によって表現される、サービングセルに対する上りリンク帯域幅設定である。NRBscは、サブキャリアの数によって表現される、周波数領域における（物理）リソースブロックサイズである。サブキャリア間隔Δfは１５ｋＨｚであり、NRBscは１２であってもよい。すなわち、NRBscは、１８０ｋＨｚであってもよい。また、サブキャリア間隔Δfは１５ｋＨｚ以外の周波数に設定されてもよい。例えば、サブキャリア間隔は、３.７５ｋＨｚ、７．５ｋＨｚ、１５ｋＨｚ、３０ｋＨｚ、６０ｋＨｚ、１２０ｋＨｚ、２４０ｋＨｚ内の何れであってもよい。
【００７２】
リソースブロック（ＲＢ）は、物理チャネルのリソースエレメントへのマッピングを表すために用いられる。リソースブロックは、仮想リソースブロック（ＶＲＢ）と物理リソースブロック（ＰＲＢ）が定義される。物理チャネルは、まず仮想リソースブロックにマップされる。その後、仮想リソースブロックは、物理リソースブロックにマップされる。１つの物理リソースブロックは、時間領域においてNULsymbの連続するＳＣ−ＦＤＭＡシンボルと周波数領域においてNRBscの連続するサブキャリアとから定義される。ゆえに、１つの物理リソースブロックは（NULsymb×NRBsc）のリソースエレメントから構成される。１つの物理リソースブロックは、時間領域において１つのスロットに対応する。物理リソースブロックは周波数領域において、周波数の低いほうから順に番号nPRB（0,1,…, NULRB-1）が付けられる。
【００７３】
本実施形態における下りリンクのスロットは、複数のＯＦＤＭシンボルを含む。本実施形態における下りリンクのスロットの構成は、リソースグリッドが複数のサブキャリアと複数のＯＦＤＭシンボルによって定義される点を除いて基本的に同じであるため、下りリンクのスロットの構成の説明は省略する。
【００７４】
以下、本実施形態における装置の構成について説明する。
【００７５】
図４は、本実施形態の基地局装置３の構成を示す概略ブロック図である。図示するように、基地局装置３は、上位層処理部１０１、プリアンブル検出部１０３、同期タイミング測定部１０５、制御部１０７、チャネル測定部１０８、受信処理部１０９、複数の受信アンテナ１０１３、送信処理部１１１、および、複数の送信アンテナ１０１４、を含んで構成される。また、上位層処理部１０１は、無線リソース制御部１０１１とランダムアクセス制御部１０１２を含んで構成される。尚、図４では、受信アンテナと送信アンテナとを別の構成としたが、信号の入出力を切り替える作用のあるサイリスタなどを用いてアンテナを共有するようにしてもよい。
【００７６】
上位層処理部１０１は、下りリンクコンポーネントキャリア毎のデータ情報を、送信処理部１１１に出力する。また、上位層処理部１０１は、パケットデータ統合プロトコル（Packet Data Convergence Protocol; PDCP）層、無線リンク制御（Radio Link Control; RLC）層、無線リソース制御（RadioResource Control; RRC）層の処理を行なう。上位層処理部１０１の無線リソース制御部１０１１は、端末装置１各々の各種設定情報、通信状態、および、バッファ状況の管理などを行っている。上位層処理部１０１のランダムアクセス制御部１０１２は、端末装置１各々のランダムアクセスに関する制御を行なっている。
【００７７】
上記の処理において、上位層処理部１０１が備える無線リソース制御部１０１１は、基地局装置３が無線通信に用いることのできる下りリンクコンポーネントキャリアと上りリンクコンポーネントキャリアの数、および端末装置１が同時に送信、または受信することのできる下りリンクコンポーネントキャリアと上りリンクコンポーネントキャリアの数などに応じて、複数の上りリンクコンポーネントキャリアと下りリンクコンポーネントキャリアを端末装置１に割り当てる。
【００７８】
無線リソース制御部１０１１は、各下りリンクコンポーネントキャリアの各チャネルに配置する情報を生成、または上位ノードから取得し、下りリンクコンポーネントキャリア毎に送信処理部１１１に出力する。例えば、無線リソース制御部１０１１は、下りリンク制御情報、データ情報の一種であるランダムアクセスレスポンスを生成し、送信処理部１１１に出力する。
【００７９】
無線リソース制御部１０１１は、端末装置１に割り当てた上りリンクコンポーネントキャリアの無線リソースの中から、端末装置１がＰＵＳＣＨ（データ情報）を配置する無線リソースを端末装置１に割り当てる。また、無線リソース制御部１０１１は、端末装置１に割り当てた下りリンクコンポーネントキャリアの無線リソースの中から、端末装置１に対するＰＤＳＣＨ（データ情報）を配置する無線リソースを割り当てる。無線リソース制御部１０１１は、当該無線リソースの割り当てを示す下りリンクグラントと上りリンクグラントを生成し、送信処理部１１１を介して端末装置１に送信する。また、無線リソース制御部１０１１は、当該下りリンクグラントと上りリンクグラントに、下りリンクグラントまたは上りリンクグラントが対応する端末装置１に割り当てたＣ−ＲＮＴＩを含める。
【００８０】
無線リソース制御部１０１１は、ランダムアクセス制御部１０１２からの制御情報に基づいて、ランダムアクセス処理の開始を指示するＰＤＣＣＨを生成する。無線リソース制御部１０１１は、ランダムアクセス処理の開始を指示する端末装置１に割り当てた下りリンクコンポーネントキャリアのチャネル品質やＰＤＣＣＨのオーバーヘッドなどに基づき、任意の１つの下りリンクコンポーネントキャリアを選択し、選択した下りリンクコンポーネントキャリアでランダムアクセス処理の開始を指示するＰＤＣＣＨを、送信処理部１１１を介して端末装置１に送信する。また、無線リソース制御部１０１１は、ランダムアクセス処理の開始を指示するＰＤＣＣＨに、当該ＰＤＣＣＨが対応する端末装置１に割り当てた下りリンクコンポーネントキャリアに対応するＰＲＡＣＨの無線リソースを示す情報、ランダムアクセスプリアンブルのインデックスの番号を示す情報、およびＣ−ＲＮＴＩを含める。
【００８１】
無線リソース制御部１０１１は、ランダムアクセス制御部１０１２からの制御情報に基づいて、１つの下りリンクコンポーネントキャリアを選択し、選択した下りリンクコンポーネントキャリア内の無線リソースの中からランダムアクセスレスポンスを配置する無線リソースを割り当てる。また、無線リソース制御部１０１１は、当該無線リソースの割り当てを示す下りリンクグラントに、ランダムアクセス制御部１０１２から入力されたＲＡ−ＲＮＴＩを含める。
【００８２】
無線リソース制御部１０１１は、ランダムアクセス制御部１０１２からの制御情報に基づいて、１つの上りリンクコンポーネントキャリアを選択し、選択した上りリンクコンポーネントキャリア内の無線リソースの中からメッセージ３を配置する無線リソースを割り当てる。また、無線リソース制御部１０１１は、当該無線リソースの割り当てを示す上りリンクグラントを生成し、ランダムアクセスレスポンスに含め、送信処理部１１１を介して端末装置１に送信する。尚、ランダムアクセスレスポンスに含まれる上りリンクグラントは、巡回冗長検査符号と端末装置識別子が含まれない。ランダムアクセスレスポンスには、ランダムアクセス制御部１０１２から入力された複数のランダムアクセスプリアンブル各々に対する同期タイミングのずれ量とＴｅｍｐｏｒａｒｙ  Ｃ−ＲＮＴＩと、無線リソース制御部１０１１が生成した上りリンクグラントが含まれている。
【００８３】
無線リソース制御部１０１１は、端末装置１からＰＵＣＣＨで通知された上りリンク制御情報（ACK/NACK、チャネル品質情報、スケジューリング要求）、および端末装置１のバッファの状況や無線リソース制御部１０１１が設定した端末装置１各々の各種設定情報に基づき、受信処理部および送信処理部の制御を行なうために制御情報を生成し、制御部に出力する。
【００８４】
上記の処理において、上位層処理部１０１が備えるランダムアクセス制御部１０１２は、メッセージの一部、または全部を送受信する上りリンクコンポーネントキャリアと下りリンクコンポーネントキャリアのペア、上りリンクコンポーネントキャリア内のＰＲＡＣＨの構成（ＰＲＡＣＨの無線リソースの割り当てなど）やランダムアクセスの送信状況を示す情報（ランダムアクセス負荷）などのランダムアクセスに関する情報を含む報知情報、ランダムアクセスレスポンス、コンテンションレゾリューションなどを生成し、送信処理部１１１を介して端末装置１に送信するよう、無線リソース制御部１０１１に制御情報を出力する。
【００８５】
ランダムアクセス制御部１０１２は、ランダムアクセスの送信状況や上りリンクコンポーネントキャリアのチャネル品質などに基づいて端末装置１各々にランダムアクセス処理を開始することができる特定の下りリンクコンポーネントキャリアに対応するＰＲＡＣＨを設定し、設定した特定の下りリンクコンポーネントキャリアを示す情報を生成し、当該情報を無線リソース制御信号などに含め、送信処理部１１１を介して端末装置１各々に送信するよう、無線リソース制御部１０１１に制御情報を出力する。
【００８６】
ランダムアクセス制御部１０１２は、端末装置１に送信するデータ情報があるが、基地局装置３と端末装置１間の同期がはずれている場合などに、端末装置１にランダムアクセス処理の開始を指示することを決定する。ランダムアクセス制御部は、端末装置１に設定した特定の下りリンクコンポーネントキャリアに対応するＰＲＡＣＨの無線リソースとプリアンプルを割り当てる。ランダムアクセス制御部１０１２は、端末装置１にランダムアクセス処理の開始を指示するＰＤＣＣＨを生成し、送信処理部１１１に出力するよう、無線リソース制御部１０１１に制御情報を出力する。
【００８７】
ランダムアクセス制御部１０１２は、プリアンブル検出部１０３から入力された、ＰＲＡＣＨの情報とプリアンプルの番号と同期タイミングのずれ量に基づき、プリアンプルの番号と同期タイミングのずれ量を無線リソース制御部１０１１に出力し、無線リソース制御部１０１１にランダムアクセスレスポンスを生成するよう、無線リソース制御部１０１１に制御情報を出力する。また、ランダムアクセス制御部１０１２は、プリアンブル検出部１０３から入力されたプリアンプルを検出したＰＲＡＣＨの情報から、ＲＡ−ＲＮＴＩを算出し、無線リソース制御部１０１１に出力する。
【００８８】
ランダムアクセス制御部１０１２は、プリアンブル検出部１０３から入力されたプリアンプルを検出したＰＲＡＣＨの情報に基づき、ランダムアクセスプリアンブルが検出された上りリンクコンポーネントキャリアとペアの下りリンクコンポーネントキャリアを選択し、選択した下りリンクコンポーネントキャリアでランダムアクセスレスポンスを送信するよう、無線リソース制御部１０１１に制御情報を出力する。また、ランダムアクセス制御部１０１２は、ランダムアクセスプリアンブルが検出された上りリンクコンポーネントキャリアを選択し、選択した上りリンクコンポーネントキャリアの無線リソースの中からメッセージ３を送信する無線リソースを割り当てるよう、無線リソース制御部１０１１に制御情報を出力する。
【００８９】
ランダムアクセス制御部１０１２は、ランダムアクセスレスポンスで無線リソースを割り当てたメッセージ３を送信した端末装置３に対して、下りリンクコンポーネントキャリアでコンテンションレゾリューションを送信するよう、無線リソース制御部１０１１に制御情報を出力する。
【００９０】
制御部１０７は、上位層処理部１０１からの制御情報に基づいて、受信処理部１０９、および送信処理部１１１の制御を行なう制御信号を生成する。制御部１０７は、生成した制御信号を受信処理部１０９、および送信処理部１１１に出力して受信処理部１０９、および送信処理部１１１の制御を行なう。
【００９１】
受信処理部１０９は、制御部から入力された制御信号に従って、受信アンテナを介して端末装置１から受信した受信信号を分離、復調、復号し、復号した情報を上位層処理部１０１に出力する。また、受信処理部１０９は、分離した上りリンク参照信号を同期タイミング測定部１０５に出力し、分離したＰＲＡＣＨをプリアンブル検出部１０３に出力する。
【００９２】
具体的には、受信処理部１０９は、各受信アンテナを介して受信した各上りリンクコンポーネントキャリアの信号を、中間周波数に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。受信処理部１０９は、変換したディジタル信号からガードインターバル（Guard Interval; GI）に相当する部分を除去する。受信処理部１０９は、ガードインターバルを除去した信号に対して高速フーリエ変換（Fast Fourier Transform; FFT）を行い、周波数領域の信号を抽出する。
【００９３】
受信処理部１０９は、抽出した信号を上りリンクコンポーネントキャリア毎に、ＰＲＡＣＨ、ＰＵＣＣＨ、ＰＵＳＣＨ、ＤＭＲＳおよびＳＲＳに配置された信号に、それぞれ分離する。尚、この分離は、予め基地局装置３が決定して各端末装置１に通知した無線リソースの割当情報に基づいて行われる。また、受信処理部１０９は、分離した上りリンク参照信号から伝搬路の推定値を求め、ＰＵＣＣＨとＰＵＳＣＨの伝搬路の補償を行なう。
【００９４】
受信処理部１０９は、分離したＰＲＡＣＨをプリアンブル検出部１０３に出力し、分離した上りリンク参照信号を同期タイミング測定部１０５に出力する。受信処理部１０９は、ＰＵＳＣＨを逆離散フーリエ変換（Inverse Discrete Fourier Transform; IDFT）し、変調シンボルを取得し、ＰＵＣＣＨとＰＵＳＣＨの変調シンボルそれぞれに対して、２位相偏移変調（Binary Phase Shift Keying; BPSK）、４相位相偏移変調（Quadrature Phase Shift Keying; QPSK）、１６値直交振幅変調（16Quadrature Amplitude Modulation;16QAM）、６４値直交振幅変調（64Quadrature Amplitude Modulation; 64QAM）等の予め定められた、または基地局装置３が端末装置１各々に上りリンクグラントで予め通知した変調方式を用いて受信信号の復調を行なう。
【００９５】
受信処理部１０９は、復調したＰＵＣＣＨとＰＵＳＣＨの符号化ビットを、予め定められた符号化方式の、予め定められた、または基地局装置３が端末装置１に上りリンクグラントで予め通知した符号化率で復号を行ない、データ情報と、上りリンク制御情報を上位層処理部１０１へ出力する。受信処理部１０９は、端末装置１から受信した上りリンク参照信号やＰＵＳＣＨの受信信号の電力などを測定し、上りリンクコンポーネントキャリアのチャネルの受信品質を測定し、上位層処理部１０１に出力する。
【００９６】
プリアンブル検出部１０３は、受信処理部１０９から入力されたＰＲＡＣＨの無線リソースから複数のランダムアクセスプリアンブルを検出し、ランダムアクセスプリアンブル各々から同期タイミングずれ量を算出し、プリアンプルを検出したＰＲＡＣＨの情報とプリアンプルの番号と同期タイミングのずれ量を上位層処理部１０１に出力する。また、定期的にランダムアクセスプリアンブルの受信数から端末装置１のランダムアクセス送信状況も上位層処理部１０１に通知する。同期タイミング測定部１０５は、同期維持のために受信処理部１０９から入力された上りリンク参照信号を測定して、同期タイミングのずれを測定し、測定結果を上位層処理部１０１に報告する。
【００９７】
送信処理部１１１は、制御部１０７から入力された制御信号に従って、下りリンク参照信号を生成し、上位層処理部１０１から入力されたデータ情報、下りリンク制御情報を符号化、および変調し、ＰＤＣＣＨ、およびＰＤＳＣＨに配置し、生成した下りリンク参照信号と多重して、送信アンテナを介して端末装置１に信号を送信する。
【００９８】
具体的には、送信処理部１１１は、上位層処理部１０１から入力された下りリンクコンポーネントキャリア各々の下りリンク制御情報、およびデータ情報を、制御部１０７から入力された制御信号に従って、ターボ符号化、畳み込み符号化、ブロック符号化等の符号化を行い、符号化ビットをＱＰＳＫ、１６ＱＡＭ、６４ＱＡＭ等の変調方式で変調する。また、基地局装置３を識別するためのセル識別子（Cell ID）などを基に予め定められた規則で求まる、端末装置１が既知の系列を下りリンク参照信号として生成し、ＰＤＣＣＨとＰＤＳＣＨと下りリンク参照信号を多重する。
【００９９】
送信処理部１１１は、多重した変調シンボルを逆高速フーリエ変換（Inverse Fast FourierTransform; IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送信アンテナに出力して送信する。
【０１００】
なお、ＬＡＡセルで運用される基地局装置３は、ＬＢＴ手順を行い、チャネルがアイドルかビジーかを判定するチャネル測定部１０８を含んで構成される。チャネル測定部１０８は、受信アンテナ１０１３からの受信電力を用いて判定する方法や、受信処理部１０９からの特定の信号を検出したか否かで判定する方法などが実装される。チャネル測定部１０８の判定結果は制御部１０７に送られ、送信の制御に用いられる。
【０１０１】
図５は、本実施形態の端末装置１の構成を示す概略ブロック図である。図示するように、端末装置１は、上位層処理部２０１、制御部２０３、受信処理部２０５、複数の受信アンテナ２０１３、プリアンブル生成部２０７、チャネル測定部２０８、送信処理部２０９、および、複数の送信アンテナ２０１４、を含んで構成される。また、上位層処理部２０１は、無線リソース制御部２０１１とランダムアクセス処理部２０１２を含んで構成される。尚、図５では、受信アンテナと送信アンテナとを別の構成としたが、信号の入出力を切り替える作用のあるサイリスタなどを用いてアンテナを共有するようにしてもよい。
【０１０２】
上位層処理部２０１は、ユーザの操作等により生成された上りリンクコンポーネントキャリア毎のデータ情報を、送信処理部２０９に出力する。また、上位層処理部２０１は、パケットデータ統合プロトコル層、無線リンク制御層、無線リソース制御層の処理を行なう。上位層処理部２０１が備える無線リソース制御部２０１１は、自装置の各種設定情報、通信状態、および、バッファ状況の管理などを行っている。上位層処理部２０１のランダムアクセス処理部２０１２は、自装置のランダムアクセスに関する制御を行なっている。
【０１０３】
上記の処理において、上位層処理部２０１が備える無線リソース制御部２０１１は、自装置が割り当てられた下りリンクコンポーネントキャリアと上りリンクコンポーネントキャリア、Ｃ−ＲＮＴＩなどの各種設定情報の管理を行なう。また、無線リソース制御部２０１１は、各上りリンクコンポーネントキャリアの各チャネルに配置する情報を生成し、上りリンクコンポーネントキャリア毎に送信処理部２０９に出力する。例えば、無線リソース制御部２０１１は、ランダムアクセスレスポンスでメッセージ３の無線リソースを割り当てられた場合、メッセージ３で送信する情報を生成し、送信処理部２０９に出力する。
【０１０４】
無線リソース制御部２０１１は、基地局装置３からＰＤＣＣＨで通知された下りリンク制御情報（例えば、下りリンクグラント、上りリンクグラント）や、ランダムアクセスで通知されたメッセージ３に対する上りリンクグラント、無線リソース制御部２０１１が管理する自装置の各種設定情報に基づき、受信処理部２０５、および送信処理部２０９の制御を行なうために制御情報を生成し、制御部２０３に出力する。
【０１０５】
上記の処理において、上位層処理部２０１が備えるランダムアクセス処理部２０１２は、基地局装置３が報知する、ランダムアクセスに関するメッセージの一部、または全部を送受信する上りリンクコンポーネントキャリアと下りリンクコンポーネントキャリアのペア、下りリンクコンポーネントキャリアが対応するＰＲＡＣＨの構成やランダムアクセスの送信状況を示す情報などのランダムアクセスに関する情報、および基地局装置３から通知される、ランダムアクセス処理を開始することができる特定の下りリンクコンポーネントキャリアに対応するＰＲＡＣＨを示す情報を管理している。ランダムアクセス処理部２０１２は、自装置が基地局装置３からランダムアクセス処理の開始を指示するＰＤＣＣＨを受信した場合、および上りリンクで送信するデータ情報があるが、基地局装置３から上りリンクの無線リソースを割り当てられていない場合、ランダムアクセスを開始する。
【０１０６】
ランダムアクセス処理部２０１２は、基地局装置３からのＰＤＣＣＨでランダムアクセスを開始するよう指示され、プリアンプルの番号と、下りリンクコンポーネントキャリアに対応するＰＲＡＣＨの無線リソースを指定された場合、基地局装置３に設定された特定の下りリンクコンポーネントキャリアに対応するＰＲＡＣＨの無線リソースの中から、ランダムアクセス処理の開始を指示するＰＤＣＣＨで指定されたＰＲＡＣＨとプリアンプルを選択する。
【０１０７】
また、ランダムアクセス処理部２０１２は、ランダムアクセス処理の開始を指示するＰＤＣＣＨでプリアンプルの番号とＰＲＡＣＨの無線リソースを指定されていない場合、またはランダムアクセス処理部２０１２がランダムアクセス処理の開始を決定した場合、基地局装置３に設定されたランダムアクセス処理を開始することができる特定の下りリンクコンポーネントキャリアに対応するＰＲＡＣＨの無線リソースの中からランダムに無線リソースを選択し、下りリンクのチャネル品質の情報などから、選択するＣｏｎｔｅｎｔｉｏｎ  ｂａｓｅｄ  Ｒａｎｄｏｍ  Ａｃｃｅｓｓ用のプリアンプルの範囲を決定し、選択したプリアンプルの範囲の中からプリアンプルをランダムに選択する。これにより、端末装置１は、基地局装置３が上りリンクコンポーネントキャリアのチャネル品質およびＰＲＡＣＨの送信状況などに基づいて予め割り当てた特定の下りリンクコンポーネントキャリアに対応する適切なランダムアクセスリソースでＣｏｎｔｅｎｔｉｏｎ  ｂａｓｅｄ  Ｒａｎｄｏｍ  Ａｃｃｅｓｓを行なうことができる。
【０１０８】
また、ランダムアクセス処理部２０１２は、選択したプリアンプルを含むランダムアクセスプリアンブルをプリアンブル生成部２０７が生成するよう、制御部２０３に制御情報を出力し、選択したＰＲＡＣＨの無線リソースで送信処理部２０９がランダムアクセスプリアンブルを送信するよう、制御部２０３に制御情報を出力する。
【０１０９】
ランダムアクセス処理部２０１２は、ランダムアクセスプリアンブルを送信した無線リソースに対応するＲＡ−ＲＮＴＩを算出する。また、ランダムアクセス処理部２０１２は、ランダムアクセスプリアンブルを送信してから予め定められた期間であるランダムアクセスレスポンス受信期間(ランダムアクセスレスポンスウインドウ)、ランダムアクセスプリアンブルを送信した上りリンクコンポーネントキャリアとペアの下りリンクコンポーネントキャリアで、算出したＲＡ−ＲＮＴＩを含む下りリンクグラントを、受信処理部２０５が監視するよう、制御部２０３に制御情報を出力する。
【０１１０】
ランダムアクセス処理部２０１２は、基地局装置３からプリアンプルの番号を指定されている場合、算出したＲＡ−ＲＮＴＩを含む下りリンクグラントが無線リソースの割り当てを示すランダムアクセスレスポンスにおいて、基地局装置３から指定されたプリアンプルの番号が含まれていた際にランダムアクセスに成功した判定し、ランダムアクセス処理に関する処理を終了する。
【０１１１】
ランダムアクセス処理部２０１２は、基地局装置３からプリアンプルの番号を指定されていない場合、算出したＲＡ−ＲＮＴＩを含む下りリンクグラントが無線リソースの割り当てを示すランダムアクセスレスポンスから、自装置が送信したランダムアクセスプリアンブルに含まれるプリアンプルの番号を検出し、検出したプリアンプルの番号に対応する、同期タイミングのずれ量とＴｅｍｐｏｒａｒｙ  Ｃ−ＲＮＴＩとメッセージ３の無線リソースの割り当てを示す上りリンクグラントを取得する。また、ランダムアクセス処理部２０１２は、同期タイミングのずれ量に基づき、送信処理部２０９の上りリンクの信号の送信タイミングを調整するよう、制御部２０３に制御情報を出力する。
【０１１２】
また、ランダムアクセス処理部２０１２は、ランダムアクセスレスポンスに含まれる自装置宛ての上りリンクグラントを無線リソース制御部２０１１に出力する。また、ランダムアクセス処理部２０１２は、基地局装置３に割り当てられたＣ−ＲＮＴＩ、または接続要求などの情報を含むメッセージ３を生成するよう、無線リソース制御部２０１１に制御情報を出力する。
【０１１３】
ランダムアクセス処理部２０１２は、メッセージ３を送信してから予め定められた期間であるコンテンションレゾリューション受信期間（コンテンションレゾリューションタイマ）、基地局装置３に割り当てられた下りリンクコンポーネントキャリアでコンテンションレゾリューションの監視をし、下りリンクコンポーネントキャリアでコンテンションレゾリューションを検出した場合、ランダムアクセスに成功したと判定し、ランダムアクセスに関する処理を終了する。
【０１１４】
制御部２０３は、上位層処理部２０１からの制御情報に基づいて、受信処理部２０５、プリアンブル生成部２０７、および送信処理部２０９の制御を行なう制御信号を生成する。制御部２０３は、生成した制御信号を受信処理部２０５、プリアンブル生成部２０７、および送信処理部２０９に出力して受信処理部２０５、プリアンブル生成部２０７、および送信処理部２０９の制御を行なう。
【０１１５】
受信処理部２０５は、制御部２０３から入力された制御信号に従って、受信アンテナを介して基地局装置３から受信した受信信号を、復調、復号し、復号した情報を上位層処理部２０１に出力する。また、受信処理部２０５は、検出した下りリンク参照信号の受信品質等に基づいて、チャネル品質情報を生成し、上位層処理部２０１、および送信処理部２０９に出力する。
【０１１６】
具体的には、受信処理部２０５は、各受信アンテナを介して受信した各上りリンクコンポーネントキャリアの信号を、中間周波数に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。受信処理部２０５は、変換したディジタル信号からガードインターバルに相当する部分を除去する。受信処理部２０５は、ガードインターバルを除去した信号に対して高速フーリエ変換を行い、周波数領域の信号を抽出する。
【０１１７】
受信処理部２０５は、抽出した信号を下りリンクコンポーネントキャリア毎に、ＰＤＣＣＨ、ＰＤＳＣＨ、および下りリンク参照信号に配置された信号に、それぞれ分離する。尚、この分離は、下りリンクグラントで通知された無線リソースの割り当て情報などに基づいて行われる。また、受信処理部２０５は、分離した下りリンク参照信号から伝搬路の推定値を求め、ＰＤＣＣＨとＰＤＳＣＨの伝搬路の補償を行なう。また、受信処理部２０５は、分離した下りリンク参照信号の受信品質等に基づいて、チャネル品質情報を生成し、上位層処理部２０１、および送信処理部２０９に出力する。
【０１１８】
受信処理部２０５は、ＰＤＣＣＨに対して、ＱＰＳＫ変調方式の復調を行ない、自装置が基地局装置３に割り当てられたＣ−ＲＮＴＩを含む下りリンクグラントと上りリンクグラント、および自装置がランダムアクセスプリアンブルを送信したＰＲＡＣＨの無線リソースに対応するＲＡ−ＲＮＴＩを含む下りリンクグラントを監視し、復号を試みる。受信処理部２０５は、ＰＤＣＣＨの復号に成功した場合、復号した下りリンク制御情報を上位層処理部２０１に出力する。受信処理部２０５は、ＰＤＳＣＨに対して、ＱＰＳＫ、１６ＱＡＭ、６４ＱＡＭ等の下りリンクグラントで通知された変調方式の復調を行ない、下りリンクグラントで通知された符号化率に対する復号を行い、復号したデータ情報を上位層処理部２０１へ出力する。
【０１１９】
プリアンブル生成部２０７は、制御部２０３から入力された制御信号に従って、ランダムアクセス処理部２０１２が選択したプリアンプルを含んだランダムアクセスプリアンブルを生成し、送信処理部２０９に出力する。
【０１２０】
送信処理部２０９は、制御部２０３から入力された制御信号に従って、上りリンク参照信号を生成し、上位層処理部２０１から入力されたデータ情報、および受信処理部２０５から入力されたチャネル品質情報、を符号化および変調し、ＰＵＳＣＨ、およびＰＵＣＣＨに配置し、生成した上りリンク参照信号と多重して、送信アンテナを介して基地局装置３に送信する。また、送信処理部２０９は、制御部２０３から入力された制御信号に従って、プリアンブル生成部２０７から入力されたランダムアクセスプリアンブルを、ＰＲＡＣＨに配置し、送信アンテナを介して基地局装置３に送信する。
【０１２１】
具体的には、送信処理部２０９は、上位層処理部２０１と受信処理部２０５から入力された各上りリンクコンポーネントキャリアの上りリンク制御情報、およびデータ情報を、制御部２０３から入力された制御信号に従って、ターボ符号化、畳み込み符号化、ブロック符号化等の符号化を行い、符号化ビットをＢＰＳＫ、ＱＰＳＫ、１６ＱＡＭ、６４ＱＡＭ等の変調方式で変調する。
【０１２２】
送信処理部２０９は、基地局装置３を識別するためのセル識別子などを基に予め定められた規則で求まる、基地局装置３が既知の系列を上りリンク参照信号として生成する。送信処理部２０９は、ＰＵＣＣＨの変調シンボルを符号で拡散し、ＰＵＳＣＨの変調シンボルを並列に並び替えてから離散フーリエ変換（Discrete Fourier Transform; DFT）し、生成した上りリンク参照信号と多重する。また、送信処理部２０９は、プリアンブル生成部２０７から入力されたランダムアクセスプリアンブルを、ＰＲＡＣＨに配置する。
【０１２３】
送信処理部２０９は、多重した信号を逆高速フーリエ変換して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送信アンテナに出力して送信する。
【０１２４】
なお、ＬＡＡセルで運用される端末装置１は、ＬＢＴ手順を行い、チャネルがアイドルかビジーかを判定するチャネル測定部２０８を含んで構成される。チャネル測定部２０８は、受信アンテナ２０１３からの受信電力を用いて判定する方法や、受信処理部２０５からの特定の信号を検出したか否かで判定する方法などが実装される。チャネル測定部２０８の判定結果は制御部２０３に送られ、送信の制御に用いられる。
【０１２５】
端末装置１が備える符号２０１から符号２０１４が付された部のそれぞれは、回路として構成されてもよい。基地局装置３が備える符号１０１から符号１０１４が付された部のそれぞれは、回路として構成されてもよい。
【０１２６】
以下、ＬＡＡセルにおけるＰＵＳＣＨ送信タイミングについて詳しく説明をする。
【０１２７】
ＤＣＩフォーマット０Ａ、および、ＤＣＩフォーマット０Ｂのそれぞれは、‘PUSCH trigger A’フィールド、および、‘Timing offset’フィールドを含む。ＤＣＩフォーマット０Ｂは、‘numberof scheduled subframes’フィールドを含む。‘PUSCH trigger A’フィールがマップされる情報ビットを‘PUSCHtrigger A’とも称する。‘PUSCH triggerA’フィールがマップされる情報ビットの値を、‘PUSCH trigger A’フィールドの値とも称する。その他のフィールドに対しても同様である。
【０１２８】
ＤＣＩフォーマット１Ｃは、‘Uplink transmission duration and offsetindication’フィールド、および／または、‘PUSCH trigger B’フィールドを含んでもよい。
【０１２９】
サブフレームｎにおいて０にセットされた‘PUSCH trigger A’フィールドを含むＤＣＩフォーマット０Ａを含むＰＤＣＣＨを検出した場合、端末装置１はサブフレームｎ＋ｋ＋ｌ＋ｉ（ｉ＝０、１、．．．、Ｎ−１）においてＰＵＳＣＨ送信を実行してもよい。サブフレームｎにおいて０にセットされた‘PUSCH trigger A’フィールドを含むＤＣＩフォーマット０Ｂを含むＰＤＣＣＨを検出した場合、端末装置１はサブフレームｎ＋ｋ＋ｌ＋ｉ（ｉ＝０、１、．．．、Ｎ−１）においてＰＵＳＣＨ送信を実行してもよい。
【０１３０】
サブフレームｎ−ｖからサブフレームｎ−１までの間に１にセットされた‘PUSCH trigger A’フィールドを含むＤＣＩフォーマット０Ａを含むＰＤＣＣＨを検出し、且つ、サブフレームｎにおいてＤＣＩフォーマット１Ｃを含むＰＤＣＣＨを検出した場合、端末装置１はサブフレームｎ＋ｋ＋ｌ＋ｉ（ｉ＝０、１、．．．、Ｎ−１）においてＰＵＳＣＨ送信を実行してもよい。サブフレームｎ−ｖからサブフレームｎ−１までの間に１にセットされた‘PUSCH trigger A’フィールドを含むＤＣＩフォーマット０Ｂを含むＰＤＣＣＨを検出し、且つ、サブフレームｎにおいてＤＣＩフォーマット１Ｃを含むＰＤＣＣＨを検出した場合、端末装置１はサブフレームｎ＋ｋ＋ｌ＋ｉ（ｉ＝０、１、．．．、Ｎ−１）においてＰＵＳＣＨ送信を実行してもよい。ここで、サブフレームｎ−ｖからサブフレームｎ−１までの間は、サブフレームｎ−ｖ、および／または、サブフレームｎ−１を含む。ここで、ＤＣＩフォーマット１Ｃに含まれる‘Uplink transmission duration and offset indication’フィールド、および／または、‘PUSCH trigger B’フィールドは、特定の値にセットされている。例えば、‘PUSCHtrigger B’フィールドは１にセットされていてもよい。例えば、‘Uplink transmissionduration and offset indication’フィールドは、所定の値以外の値にセットされていてもよい。ここで、所定の値は０００００および１１１１１であってもよい。‘Uplink transmission duration and offset indication’フィールド、および／または、‘PUSCH trigger B’フィールドが特定の値にセットされていることを、‘Uplinktransmission duration and offset indication’フィールド、および／または、‘PUSCH trigger B’フィールドがＰＵＳＣＨ送信をトリガーするようにセットされているとも称する。
【０１３１】
ｉは０からＮ−１の整数である。Ｎの値は０より大きい整数である。ＤＣＩフォーマット０Ａに対して、Ｎの値は１である。ＤＣＩフォーマット０Ｂに対して、Ｎの値はＤＣＩフォーマット０Ｂにおける‘number of scheduled subframes’フィールドによって決定
される。
【０１３２】
‘PUSCH trigger A’フィールドが０にセットされている場合、ｋの値は‘Timing offset’フィールドの値によって決定されてもよい。‘PUSCHtrigger A’フィールドが１に
セットされている場合、ｋの値は‘Timing offset’フィールドの第１および第２の情報ビットの値によって決定されてもよい。
【０１３３】
ｖは有効期間（validation duration）の長さである。有効期間を時間ウインドウ（time window）とも称する。‘PUSCH trigger A’フィールドが１にセットされている場合、
‘Timing offset’フィールドの第３および第４の情報ビットの値はｖを示すために用いられる。‘PUSCH trigger A’フィールドが１にセットされている場合、‘Timingoffset’フィールドの第３および第４の情報ビットに、‘validation duration’フィールドがマップされてもよい。
【０１３４】
サブフレームｎ−ｖにおいて１にセットされた‘PUSCH trigger A’フィールドを含むＤＣＩフォーマット０Ａ／０Ｂを含むＰＤＣＣＨを検出し、且つ、サブフレームｎまでにおいてＤＣＩフォーマット１Ｃを含むＰＤＣＣＨを検出しなかった場合、端末装置１は該ＤＣＩフォーマット０Ａ／０Ｂに対応するＰＵＳＣＨ送信を破棄してもよい。ここで、ＤＣＩフォーマット１Ｃに含まれる‘Uplink transmission duration and offset indication’フィールド、および／または、‘PUSCH trigger B’フィールドは、特定の値にセットされている。サブフレームｎ−ｖにおいて１にセットされた‘PUSCH trigger A’フィールドを含むＤＣＩフォーマット０Ａ／０Ｂを含むＰＤＣＣＨを検出してから、‘Uplinktransmissionduration and offset indication’フィールド、および／または、‘PUSCHtrigger B’フィールドが特定の値にセットされているＤＣＩフォーマット１Ｃを検出するまでの間、トリガーされるＰＵＳＣＨ送信（triggered PUSCH transmission）がペンディングされている。サブフレームｎ−ｖにおいて１にセットされた‘PUSCH trigger A’フィールドを含むＤＣＩフォーマット０Ａ／０Ｂを含むＰＤＣＣＨを検出してから、ＰＵＳＣＨ送信が破棄されるまでの間、トリガーされるＰＵＳＣＨ送信（triggered PUSCH transmission）がペンディングされている。すなわち、１にセットされた‘PUSCH trigger A’フィールドを含むＤＣＩフォーマット０Ａ／０ＢによってスケジュールされたＰＵＳＣＨは、該ＤＣＩフォーマット０Ａ／０Ｂにおける‘Timing offset’フィールドの第３および第４の情報ビットによって示される有効期間において有効である。すなわち、１にセットされた‘PUSCH trigger A’フィールドを含むＤＣＩフォーマット０Ａ／０ＢによってスケジュールされたＰＵＳＣＨは、該ＤＣＩフォーマット０Ａ／０Ｂにおける‘Timing offset’フィールドの第３および第４の情報ビットによって示される有効期間において有効である。すなわち、‘Uplink transmission duration and offset indication’フィールド、および／または、‘PUSCH trigger B’フィールドが特定の値にセットされているＤＣＩフォーマット１ＣによってトリガーされるＰＵＳＣＨのスケジューリングは、有効期間において有効である。
【０１３５】
‘PUSCH trigger A’フィールドが０にセットされている場合、ｌの値は所定の値（例えば、４）であってもよい。‘PUSCH trigger A’フィールドが１にセットされている場合、ｌの値は上りリンクオフセット（UL offset）である。ここで、上りリンクオフセットは、ＤＣＩフォーマット１Ｃに含まれる‘Uplink transmission duration and offset indication’フィールドによって決定されてもよい。
【０１３６】
図６は、本実施形態におけるＰＵＳＣＨのスケジューリングの一例を示す図である。図６において、横軸は時間領域（サブフレーム番号）を示す。図６の（Ａ）および（Ｂ）のそれぞれにおいて、１つまでのＤＣＩフォーマット０Ａ／０Ｂ、１つのまでのＤＣＩフォーマット１Ｃ、および、１つまでのＰＵＳＣＨが在る。複数のＤＣＩフォーマット０Ａ／０Ｂ、複数のＤＣＩフォーマット１Ｃ、および／または、複数のＰＵＳＣＨが在る場合、本実施形態とは、異なる動作が適用されてもよい。
【０１３７】
ＤＣＩフォーマット０Ａ／０Ｂ（６００）は、ＤＣＩフォーマット０Ａ、または、ＤＣＩフォーマット０Ｂである。図６においてＮは１である。すなわち、ｉは０である。
【０１３８】
図６の（Ａ）において、ＤＣＩフォーマット０Ａ／０Ｂ（６００）に含まれる‘PUSCH trigger A’フィールドは０にセットされている。ＤＣＩフォーマット０Ａ／０Ｂ（６００）はサブフレームｎにおいて送信される。ＰＵＳＣＨ（６０１）は、上りリンクグラント（６００）によってスケジュールされる。ＰＵＳＣＨ（６０１）の送信は、サブフレームｎ＋ｋ＋ｌ＋ｉにおいて実行される。図６の（Ａ）においてｌは所定の値（例えば、４）であり、ｋはＤＣＩフォーマット０Ａ／０Ｂ（６００）に含まれる‘Timing offset’フィールドによって決定される。
【０１３９】
ＤＣＩフォーマット０Ａ／０Ｂ（６０２）は、ＤＣＩフォーマット０Ａ、または、ＤＣＩフォーマット０Ｂである。図６の（Ｂ）において、ＤＣＩフォーマット０Ａ／０Ｂ（６０２）に含まれる‘PUSCH trigger A’フィールドは１にセットされている。ＤＣＩフォーマット０Ａ／０Ｂ（６０２）はサブフレームｎ−Ｘにおいて送信される。サブフレームｎ−Ｘは、サブフレームｎ−ｖからサブフレームｎの間に在る。ＤＣＩフォーマット１Ｃ（６０３）はサブフレームｎにおいて送信される。ＤＣＩフォーマット１Ｃ（６０３）は、有効期間において送信される。有効期間の開始位置は、サブフレームｎ−ｘより後のサブフレームであってもよい。例えば、有効期間の開始位置はサブフレームｎ−Ｘ＋１であってもよく、且つ、有効期間の終了位置はサブフレームｎ−Ｘ＋ｖであってもよい。有効期間の長さは、ＤＣＩフォーマット０Ａ／０Ｂ（６０２）における‘Timing offset’フィールドの第３および第４の情報ビットによって示されてもよい。
【０１４０】
ＰＵＳＣＨ（６０４）の送信は、サブフレームｎ＋ｋ＋ｌ＋ｉにおいて実行される。図６の（Ｂ）においてｌはＤＣＩフォーマット１Ｃにおける‘Uplink transmission duration and offset indication’フィールドに少なくとも基づいて決定され、ｋはＤＣＩフォーマット０Ａ／０Ｂ（６００）に含まれる‘Timing offset’フィールドの第１および第２の情報ビットの値に少なくとも基づいて決定される。
【０１４１】
ＤＣＩフォーマット１Ｃにおける‘Uplink transmission duration andoffset indication’フィールドは、上りリンク期間（uplink duration）の長さｄを示してもよい。例えば、図６の（Ｂ）において、上りリンク期間の開始位置はサブフレームｎ＋ｌであってもよく、且つ、上りリンク期間の終了位置はサブフレームｎ＋ｌ＋ｄ−１であってもよい。端末装置１は、上りリンク期間においてＰＤＣＣＨをモニタしなくてもよい。端末装置１は、上りリンク期間において上りリンク送信を行ってもよい。
【０１４２】
また、ＣＣ−ＲＮＴＩによってスクランブルされたＣＲＣパリティビットが付加されたＤＣＩフォーマット１Ｃは、‘Subframeconfiguration for LAA’フィールドを含んでもよい。 ‘Subframe configuration for LAA’フィールドは、現サブフレーム（current subframe）、または、次のサブフレーム（next subframe）において、下りリンク物理チャネルおよび／または物理信号の送信に用いられるＯＦＤＭシンボル数を示す。即ち、‘Subframeconfiguration for LAA’フィールドによって、次のサブフレームのＯＦＤＭシンボルが示された場合、端末装置１は、次のサブフレームが下りリンクサブフレームと判断してもよい。
【０１４３】
ＤＣＩフォーマット０Ａ、および、ＤＣＩフォーマット０Ｂのそれぞれは、‘LBT Type’フィールド、および、’Priority class’フィールドを含む。‘LBT Type’フィールドは端末装置１がＰＵＳＣＨ送信を行う前に、チャネルセンシングに用いられる上りリンクＬＢＴ手順のタイプを示す。’Priority class’フィールドはチャネルセンシングに用いられるタイプ１の上りリンクＬＢＴ手順のチャネルアクセスプライオリティクラス（channel access priority class）の値を示す。
【０１４４】
端末装置１は、上りリンクグラント（ＤＣＩフォーマット０Ａ、および、ＤＣＩフォーマット０Ｂ）に含まれるLBTType’フィールド、および、’Priority class’フィールドに応じて、上りリンクＬＢＴ手順のタイプ、および、チャネルアクセスプライオリティクラスを決定してもよい。端末装置１は、決定した上りリンクＬＢＴ手順のタイプ、および、決定したチャネルプライオリティクラスに基づいて、チャネルセンシングしてもよい。例えば、‘LBT Type’フィールドがタイプ１を示す（通知する）場合、端末装置１はＰＵＳＣＨ送信を行う前に、’Priority class’フィールドによって示されるチャネルアクセスプライオリティクラスに基づいて、タイプ１の上りリンクＬＢＴ手順を行う。また、例えば、‘LBT Type’フィールドがタイプ２を示す（通知する）場合、端末装置１は、’Priorityclass’フィールドに関わらず、ＰＵＳＣＨ送信を行う前に、タイプ２の上りリンクＬＢＴ手順を行う。
【０１４５】
また、一例として、ＰＵＳＣＨの送信に用いられるサブフレームが上りリンク期間ｄ内にある場合、端末装置１は、上りリンクグラントから通知された上りリンクＬＢＴのタイプに基づかず、タイプ２の上りリンクＬＢＴ手順を行ってもよい。すなわち、ＰＵＳＣＨの送信に用いられるサブフレームが上りリンク期間ｄ内にある場合、端末装置１は、上りリンクグラントによってタイプ２の上りリンクＬＢＴが通知されたとしても、タイプ２の上りリンクＬＢＴ手順を行ってもよい。
【０１４６】
以下、本実施形態において、ランダムアクセス手順について説明する。
【０１４７】
本実施形態において、プライマリセル、セカンダリセル、または、ＬＡＡセルにおいてランダムアクセス手順が実行されてもよい。ただし、時間領域における何れのポイントにおいても１つのランダムアクセス手順のみが実行される。すなわち、複数のランダムアクセス手順は同時に実行されない。
【０１４８】
ランダムアクセス手順は、コンテンションベースランダムアクセス手順（contention basedrandom access procedure）、および、非コンテンションベースランダムアクセス手順（non-contentionbased random access procedure）を含んでいる。
【０１４９】
本実施形態において、ＬＡＡセルにおいてコンテンションベースランダムアクセス手順（contentionbased random access procedure）、および、非コンテンションベースランダムアクセス手順（non-contention based random access procedure）が実行されてもよい。なお、ＬＡＡセルがプライマリセルまたはプライマリセカンダリセルとして用いられる場合、当該ＬＡＡセルにおいて、コンテンションベースランダムアクセス手順、および／または、非コンテンションベースランダムアクセス手順が行われてもよい。また、ＬＡＡセルがセカンダリセルとして用いられる場合、当該ＬＡＡセルにおいて、非コンテンションベースランダムアクセス手順が行われてもよく、コンテンションベースランダムアクセス手順が行われなくてもよい。
【０１５０】
また、非コンテンションベースランダムアクセス手順は、ＰＤＣＣＨオーダ（ＰＤＣＣＨ  ｏｒｄｅｒ）によって開始されてもよい。基地局装置３は、ＰＤＣＣＨを用いてＰＤＣＣＨ  ｏｒｄｅｒを端末装置１に送信する。端末装置１は、ＰＲＡＣＨを用いてランダムアクセスプリアンブルを送信する。ＰＤＣＣＨ  ｏｒｄｅｒをランダムアクセスメッセージ０（メッセージ０）とも称する。
【０１５１】
ＤＣＩフォーマット１Ａは、ＰＤＣＣＨ  ｏｒｄｅｒによって開始されるランダムアクセス手順のために用いられる。以下の情報は、ＤＣＩフォーマット１Ａを用いることによって送信されてもよい。すなわち、ＰＤＣＣＨ  ｏｒｄｅｒは、少なくとも以下の情報の一部、または、全部を示してもよい。
・ランダムアクセスプリアンブルインデックス（Preamble Index） 
・ＰＲＡＣＨマスクインデックス（PRACH Mask Index）
・ランダムアクセス手順に関する情報
・ＬＢＴ  Ｔｙｐｅ
・Ｐｒｉｏｒｉｔｙ  ｃｌａｓｓ
以下、ＬＡＡセルにおいて、非コンテンションベースランダムアクセス手順の概要について、説明する。
【０１５２】
図７は、本実施形態における非コンテンションベースランダムアクセス手順の一例を示す図である。
【０１５３】
Ｓ７００において、基地局装置３は、ＰＤＣＣＨを用いてＰＤＣＣＨオーダを端末装置１に送信する。Ｓ７０２において、端末装置１は、ＰＲＡＣＨを用いてランダムアクセスプリアンブルを送信する。端末装置１は、ＰＤＣＣＨオーダに含まれているランダムアクセスプリアンブルのインデックスに基づいて、Ｓ７０２において送信されるランダムアクセスプリアンブルのインデックスを選択してもよい。
【０１５４】
次いで、基地局装置３は、Ｓ７０４において、Ｓ７０２において送信されたランダムアクセスプリアンブルに対応するランダムアクセスレスポンスを送信する。端末装置１は、ランダムアクセスレスポンスウインドウ７０６の期間、ＲＡ−ＲＮＴＩによってスクランブルされたＣＲＣパリティビットが付加されたＤＣＩフォーマットを含むＰＤＣＣＨをモニタする。当該ＲＡ−ＲＮＴＩは、Ｓ７０２においてランダムアクセスプリアンブルの送信のために用いられたＰＲＡＣＨリソースに基づいて与えられてもよい。ＲＡ−ＲＮＴＩによってスクランブルされたＣＲＣパリティビットが付加されたＤＣＩフォーマットを含むＰＤＣＣＨは、ランダムアクセスレスポンスを含むＰＤＳＣＨのスケジューリングのために用いられる下りリンクグラントを含む。
【０１５５】
端末装置１は、Ｓ７０２において送信されたランダムアクセスプリアンブルに対応するランダムアクセスレスポンスが受信された場合、ランダムアクセスレスポンスの受信成功とみなし、尚且つ、ランダムアクセス手順が成功裏に完了したとみなす。詳細に言うと、ランダムアクセスプリアンブルに対応するランダムアクセスレスポンスは、Ｓ７０２において送信されたランダムアクセスプリアンブルを特定するＲＡＰＩＤ（Random Access Preamble Identifier、ランダムアクセスプリアンブルのインデックス）を含む。すなわち
、端末装置１は、ランダムアクセスレスポンスがＳ７０２において送信されたランダムアクセスプリアンブルに対応するＲＡＰＩＤを含む場合、ランダムアクセスレスポンスの受信成功とみなし、尚且つ、ランダムアクセス手順が成功裏に完了したとみなす。
【０１５６】
ランダムアクセスプリアンブルはランダムアクセスメッセージ１（メッセージ１）とも称される。ＰＲＡＣＨでランダムアクセスプリアンブルが送信されるリソースはＰＲＡＣＨリソースと称されてもよい。ランダムアクセスレスポンスがランダムアクセスメッセージ２（メッセージ２）とも称される。
【０１５７】
ランダムアクセスレスポンスは、ランダムアクセスレスポンスグラント（上りリンクグラント）を含んでいる。
【０１５８】
ＬＡＡセルに対するランダムアクセスレスポンスグラントは、少なくとも以下のフィールド（フィールがマッピングされるビット数）の一部、または、全部を含んでもよい。
・‘Flag for triggered scheduling’（１ビット）
・‘Timing offset’（４ビット）
・‘Resource allocation field’（６ビット）
・‘Modulation and coding scheme’（４ビット）
・‘TPC command for scheduled PUSCH’（３ビット）
・‘CSI request’（１ビット）
・‘LBT type’（１ビット）
・‘Priority class’、（２ビットまたは１ビット）
・‘PUSCH starting position’（２ビット）
・‘PUSCH ending symbol’（１ビット）
ここで、ＬＡＡセルにおいて、‘Resource allocation field’フィールドは、上りリ
ンク送信のために割り当てられたリソースブロックの情報を示す。１ビットの‘LBT type’フィールドは上りリンクＬＢＴ手順のタイプを示す。‘TPC command for scheduled PUSCH’フィールドは、ＰＵＳＣＨにおいてメッセージ３送信のパワーの設定に用いられる
。‘CSI request’フィールドは、aperiodic CSI  レポートがトリガーするかどうかに用いられる。また、コンテンションベースランダムアクセス手順において、１ビットの‘CSI request’フィールドがリザーブ（reserved）されてもよい。また、ＬＡＡセルにおけ
るコンテンションベースランダムアクセス手順において、１ビットの‘CSI request’フ
ィールドが含まれなくてもよい。
【０１５９】
ここで、２ビットの‘Ｐｒｉｏｒｉｔｙ  ｃｌａｓｓ’フィールドは、四種類のチャネルアクセスプライオリティクラスを示す。また、‘Ｐｒｉｏｒｉｔｙ  ｃｌａｓｓ’フィールドは１ビットに設定されてもよい。その場合、１ビットの‘Ｐｒｉｏｒｉｔｙ  ｃｌａｓｓ’フィールドは、２種類のチャネルアクセスプライオリティクラスを示す。例えば、２種類のチャネルアクセスプライオリティクラスはチャネルアクセスプライオリティクラス１、および、チャネルアクセスプライオリティクラス２であってもよい。
【０１６０】
アンライセンスバンドのＬＡＡセルに対するランダムアクセスレスポンスグラントは、ライセンスバンドのセルに対する２０ビットのランダムアクセスレスポンスグラントと異なって、２０ビットを超えてもよい。ＬＡＡセルにおいて、ランダムアクセスレスポンスグラントが２０ビットより大きく設定された場合、ＭＡＣ層ＰＤＵに含まれるＬＡＡセルのランダムアクセスレスポンス長は、新たなビット数として定義されてもよい。例えば、ランダムアクセスレスポンス長は、５６ビットに規定されてもよい。また、ランダムアクセスレスポンス長は、ライセンスバンドに対するランダムアクセスレスポンス長と同一であってもよい。その場合、ランダムアクセスレスポンスのリザーブビット（Reserved bit）は、ランダムアクセスレスポンスグラントのフィールドのために再利用されてもよい。例えば、リザーブビットは、ランダムアクセスレスポンスグラントの‘Flag for triggered scheduling’フィールドのために再利用されてもよい。また、上述したフィールドの一部は、ランダムアクセスレスポンスグラントに含まれなくてもよい。例えば、‘LBT type’フィールド、および、‘Priority class’フィールドは、ランダムアクセスレスポンスグラントに含まれなくてもよい。また、上述したフィールドのビット数が減らされてもよい。例えば、‘Modulation and coding scheme’フィールドは、３ビットへ減らされてもよい。
【０１６１】
ランダムアクセスレスポンスグラントに含まれる‘Flag for triggered scheduling’フィールドは１ビットに設定されてもよい。‘Timing offset’フィールドは4ビットに設定されてもよい。上りリンクデータの送信タイミングはランダムアクセスレスポンスグラントに含まれる‘Flag for triggered scheduling’と‘Timingoffset’フィールドに基づいて、決定される。
【０１６２】
非コンテンションベースランダムアクセス手順が成功裏に完了したとみなす端末装置１は、ランダムアクセスレスポンスグラントに基づいて、ＰＵＳＣＨを送信してもよい。
【０１６３】
図８は、本実施形態におけるランダムアクセスレスポンスグラントに基づくＰＵＳＣＨ送信を行う一例を示す図である。端末装置１は、‘Flag for triggered scheduling’フィールドにランダムアクセスレスポンスグラントが含まれているかどうかに基づいて、図８の（Ａ）または（Ｂ）のいずれかの動作を決定してもよい。また、端末装置１は、ランダムアクセスレスポンスグラントに含まれる‘Flag for triggered scheduling’フィールドが０または１の何れかにセットされているかに基づいて、図８の（Ａ）または（Ｂ）のいずれかの動作を決定してもよい。例えば、‘Flag for triggered scheduling’フィールドがランダムアクセスレスポンスグラントに含まれなかった場合、端末装置１は、図８の（Ａ）の動作を選択してもよい。また、例えば、‘Flag for triggered scheduling’フィールドがランダムアクセスレスポンスグラントに含まれ、且つ、‘Flag for triggered scheduling’フィールドが０にセットされている場合、端末装置１は、図８の（Ａ）の動作を選択してもよい。‘Flag for triggered scheduling’フィールドがランダムアクセスレスポンスグラントに含まれ、且つ、‘Flag for triggered scheduling’フィールドが１にセットされている場合、端末装置１は、図８の（Ｂ）の動作を選択してもよい。
【０１６４】
図８の（Ａ）において、端末装置１は、サブフレームｎにおいて、ランダムアクセスレスポンス８０１を受信する。ＰＵＳＣＨ８０３は、受信されたランダムアクセスレスポンスに含まれているランダムアクセスレスポンスグラントによってスケジュールされる。ＰＵＳＣＨ８０３の送信は、サブフレームｎ＋ｋ＋ｌにおいて実行される。ここで、図８の（Ａ）においてｌは所定の値（例えば、６）であり、ｋはランダムアクセスレスポンスグラントに含まれる‘Timing offset’フィールドの値によって決定される。端末装置１は、ＬＢＴ期間８０２においてＬＢＴ手順を行う。端末装置１は、ランダムアクセスレスポンスグラントに含まれているＬＢＴの設定情報（ＬＢＴタイプ、チャネルアクセスプライオリティクラス）に基づいて、タイプ１の上りリンクＬＢＴ手順およびタイプ２の上りリンクＬＢＴ手順の何れかを決定してもよい。また、ＬＢＴの設定情報がランダムアクセスレスポンスグラントに含まれなかった場合、端末装置１は、予め設定されたＬＢＴの設定情報に基づいて、上りリンクＬＢＴ手順を決定してもよい。当該予め設定されたＬＢＴの設定情報は、基地局装置３からのＲＲＣシグナリングによって通知されてもよい。また、当該予め設定されたＬＢＴの設定情報は、仕様書などによって予め設定されてもよい。例えば、ＬＢＴの設定情報がランダムアクセスレスポンスグラントに含まれなかった場合、端末装置１は、チャネルアクセスプライオリティクラスの値が１に設定されたタイプ１の上りリンクＬＢＴ手順を行ってもよい。
【０１６５】
図８の（Ｂ）において、端末装置１は、サブフレームｎーＸにおいて、ランダムアクセスレスポンス８１１を受信する。続いて、端末装置１、有効期間（Validation duration）ｖにおいて、ＤＣＩフォーマット１Ｃ（８１２）をモニタする。当該有効期間の長さｖは、ランダムアクセスレスポンスグラントに含まれる‘Timing offset’フィールドの第３および第４の情報ビットによって示されてもよい。ＰＵＳＣＨ８１４の送信は、サブフレームｎ＋ｋ＋ｌにおいて実行される。上りリンクオフセット（ＵＬｏｆｆｓｅｔ）の長さｌの値と上りリンク期間（ＵＬ  ｄｕｒａｔｉｏｎ）の長さｄの値は検出されたＤＣＩフォーマット１Ｃに含まれる‘Uplink transmission duration and offset indication’フィールドによって決定され、ｋはランダムアクセスレスポンスグラントに含まれる‘Timing offset’フィールドの第１および第２の情報ビットの値に少なくとも基づいて決定される。
【０１６６】
また、ＰＵＳＣＨ８１４が送信される前に、端末装置１は、ＬＢＴ期間８１３においてＬＢＴの手順を行う。スケジュールされたＰＵＳＣＨ８１４が、上りリンク期間（ＵＬ  ｄｕｒａｔｉｏｎ）ｄという期間内であった場合、端末装置１は、タイプ２の上りリンクＬＢＴ手順を行ってもよい。また、スケジュールされたＰＵＳＣＨ８１４が、上りリンク期間（ＵＬ  ｄｕｒａｔｉｏｎ）ｄという期間外であり、且つ、ＬＢＴの設定情報がランダムアクセスレスポンスグラントに含まれている場合、端末装置１は、ランダムアクセスレスポンスグラントに含まれるＬＢＴの設定情報（ＬＢＴタイプ、チャネルアクセスプライオリティクラス）に基づいて、タイプ１の上りリンクＬＢＴ手順およびタイプ２の上りリンクＬＢＴ手順の何れかを決定してもよい。また、スケジュールされたＰＵＳＣＨ８１４が、上りリンク期間（ＵＬ  ｄｕｒａｔｉｏｎ）ｄという期間外であり、且つ、ＬＢＴの設定情報がランダムアクセスレスポンスグラントに含まれていなかった場合、端末装置１は、予め設定されたＬＢＴの設定情報に基づいて、上りリンクＬＢＴ手順を決定してもよい。当該予め設定されたＬＢＴの設定情報は、基地局装置３からのＲＲＣシグナリングによって通知されてもよい。また、当該予め設定されたＬＢＴの設定情報は、仕様書などによって予め設定されてもよい。例えば、ＬＢＴの設定情報がランダムアクセスレスポンスグラントに含まれなかった場合、端末装置１は、チャネルアクセスプライオリティクラスの値が１に設定されたタイプ１の上りリンクＬＢＴ手順を行ってもよい。
【０１６７】
図６の（Ｂ）と図８の（Ｂ）において、ｌ＋ｋの最小値、および、Ｘの最小値は、異なってもよい。すなわち、上りリンクグラントがＰＤＣＣＨおよびＰＤＳＣＨ（ランダムアクセスレスポンス）の何れに含まれるかによって、ｌ＋ｋの最小値、および、Ｘの最小値が与えられてもよい。端末装置１は、ｌ＋ｋの最小値および／またはＸの最小値を示す第１の能力情報を、基地局装置３に送信してもよい。図８の（Ｂ）におけるｌ＋ｋの最小値は、図６の（Ｂ）におけるｌ＋ｋの最小値よりも大きい値であってもよい。図６の（Ｂ）において、ｌ＋ｋは４、または、４より大きい値であってもよい。図６の（Ｂ）において、Ｘは１、または、１より大きい値であってもよい。図８の（Ｂ）において、ｌ＋ｋは６、または、６より大きい値であってもよい。図８の（Ｂ）において、Ｘは３、または、３より大きい値であってもよい。
【０１６８】
図６の（Ｂ）と図８の（Ｂ）において、Ｘ＋ｌ＋ｋの最小値は、異なってもよい。すなわち、上りリンクグラントがＰＤＣＣＨおよびＰＤＳＣＨ（ランダムアクセスレスポンス）の何れに含まれるかによって、Ｘ＋ｌ＋ｋの最小値が与えられてもよい。端末装置１は、Ｘ＋ｌ＋ｋの最小値を示す第２の能力情報を、基地局装置３に送信してもよい。図８の（Ｂ）におけるＸ＋ｌ＋ｋの最小値は、図６の（Ｂ）におけるＸ＋ｌ＋ｋの最小値よりも大きい値であってもよい。図６の（Ｂ）において、Ｘ＋ｌ＋ｋは４、または、４より大きい値であってもよい。図８の（Ｂ）において、Ｘ＋ｌ＋ｋは６、または、６より大きい値であってもよい。
【０１６９】
以下、ＬＡＡセルにおいて、コンテンションベースランダムアクセス手順の概要について、説明する。
【０１７０】
図９は、本実施形態におけるコンテンションベースランダムアクセス手順の一例を示す図である。
【０１７１】
Ｓ９００において、端末装置１は、ＰＲＡＣＨを用いてランダムアクセスプリアンブルを送信する。ランダムアクセスプリアンブルは、複数のシーケンスによって、基地局装置３へ情報を通知するように構成される。例えば、６４種類（ランダムアクセスプリアンブルインデックスの番号は１番から６４番まで）のシーケンスが用意されている。コンテンションベースランダムアクセス手順を行なう端末装置１各々は、メッセージ３の送信サイズが小さい場合にランダムアクセスプリアンブルインデックスの１番から２４番までからランダムにインデックス番号を選択し、メッセージ３の送信サイズが大きい場合にインデックスの２５番から４８番までからランダムにインデックスを選択する。メッセージサイズが小さい場合のインデックスは、通常、伝搬路の特性が悪い（または、端末装置１と基地局装置３間の距離が遠い）場合に選択され、メッセージサイズが大きい場合のインデックスは、伝搬路の特性が良い（または、端末装置１と基地局装置３間の距離が近い）場合に選択される。ここで、ランダムアクセスプリアンブルインデックスの番号はランダムアクセスプリアンブルの番号とも称される。即ち、コンテンションベースランダムアクセス手順の場合、端末装置１自身によってランダムアクセスプリアンブルのインデックスがランダムに選択される。
【０１７２】
次いで、基地局装置３は、Ｓ９０２において、Ｓ９００において送信されたランダムアクセスプリアンブルに対応するランダムアクセスレスポンスを送信する。ランダムアクセスレスポンス（ＤＬ−ＳＣＨ、トランスポートブロック）を含むＰＤＳＣＨに対応するＰＤＣＣＨは、ＲＡ−ＲＮＴＩによってスクランブルされたＣＲＣパリティビットが付加されたＤＣＩフォーマットを含む。当該ＰＤＣＣＨは下りリンク制御情報（下りリンクグラント）を含む。端末装置１は、ランダムアクセスレスポンスウインドウ９０３の期間、ＲＡ−ＲＮＴＩを含むＰＤＣＣＨをモニタする。当該ＲＡ−ＲＮＴＩは、Ｓ９００においてランダムアクセスプリアンブルの送信のために用いられたＰＲＡＣＨリソースに基づいて与えられてもよい。
【０１７３】
Ｓ９０２において送信されたランダムアクセスレスポンスは、上りリンクグラントにマップされるランダムアクセスレスポンスグラントフィールド、Ｔｅｍｐｏｒａｒｙ  Ｃ−ＲＮＴＩ（Cell Radio Network Temporary Identifier）がマップされるＴｅｍｐｏｒａｒｙ  Ｃ−ＲＮＴＩフィールド、および、ＴＡ（Timing Advance）コマンドを含む。端末装置１は、ＴＡコマンドに基づいて、ＰＵＳＣＨ送信のタイミングを調整する。セルのグループ毎にＰＵＳＣＨ送信のタイミングが調整されてもよい。
【０１７４】
（Ｓ９０４）受信したランダムアクセスレスポンスに、送信したランダムアクセスプリアンブルに対応するランダムアクセスプリアンブル識別子（インデックス）が含まれており、端末装置１自身によってランダムアクセスプリアンブルがランダムに選択された場合、Ｔｅｍｐｏｒａｒｙ  Ｃ−ＲＮＴＩをＴｅｍｐｏｒａｒｙ  Ｃ−ＲＮＴＩフィールドの値にセットし、ランダムアクセスレスポンスに含まれているランダムアクセスレスポンスグラントに基づいてＰＵＳＣＨでランダムアクセスメッセージ３（トランスポートブロック）を送信する。ランダムアクセスメッセージ３は、メッセージ３とも称する。
【０１７５】
Ｓ９０６はコンテンションレゾリューション （contention resolution）という手順である。基地局装置３は、端末装置１からのメッセージ３を受信すると、端末装置１がランダムアクセスに成功したこと、つまり端末装置１間でランダムアクセスプリアンブルの衝突が起こっていない、又は端末装置１間でランダムアクセスプリアンブルの衝突が起こっている場合に、衝突に打ち勝ったことを示すＭＡＣ  ＰＤＵ（contention resolution）を端末装置１に送信する（メッセージ４）。
【０１７６】
メッセージ３を送信した後に、端末装置１は、コンテンションレゾリューションタイマ（ContentionResolution Timer）９０５の期間において、コンテンションレゾリューシ
ョンを受信する。コンテンションレゾリューションの受信に基づいて、端末装置１はコンテンションベースランダムアクセス手順が成功裏に完了したとみなす。
【０１７７】
以下、ＰＲＡＣＨ（ランダムアクセスプリアンブル）送信に対する送信電力PPRACHの設定について説明する。
【０１７８】
ＰＲＡＣＨ（ランダムアクセスプリアンブル）送信に対する送信電力PPRACHは、少なくとも状態変数PREAMBLE_TRANSMISSION_COUNTERに基づいて設定される。ＰＲＡＣＨ（ランダムアクセスプリアンブル）送信に対する送信電力ＰＰＲＡＣＨは、状態変数PREAMBLE_TRANSMISSION_COUNTERに基づいてランプアップされる。状態変数PREAMBLE_TRANSMISSION_COUNTERをプリアンブル送信カウンタとも称する。送信電力PPRACHは、数式（１）、および、数式（２）によって与えられる。
【０１７９】
【数１】
2020010075.tif 000003
【０１８０】
【数２】
2020010075.tif 000004
【０１８１】
ｍｉｎ｛｝は、入力された複数の値の中から最小値を出力する関数である。PCMAX,c(i)は、サービングセルｃのサブフレームｉに対する最大送信電力値である。当該最大送信電力値を、設定されるＵＥ送信電力とも称する。PLcは、サービングセルｃに対する下りリンクパスロス推定である。下りリンクパスロス推定は、端末装置１によって計算される。
【０１８２】
DELTA_PREAMBLEはランダムアクセスプリアンブルフォーマットに基づく電力オフセット値である。preambleInitialReceivedTargetPower、および、powerRampingStepは、上位層（ＲＲＣ層）のパラメータである。基地局装置３は、当該上位層（ＲＲＣ層）のパラメータを示す情報を、端末装置１に送信してもよい。preambleInitialReceivedTargetPowerは、ＰＲＡＣＨ（ランダムアクセスプリアンブル）送信に対する初期送信電力を示す。powerRampingStepは、プリアンブル送信カウンタPREAMBLE_TRANSMISSION_COUNTERに基づいてランプアップされる送信電力のステップを示す。すなわち、プリアンブル送信カウンタは送信電力がランプアップされた回数に対応している。また、プリアンブル送信カウンタを１にセットすることによって、送信電力のランプアップはリセットされる。また、プリアンブル送信カウンタを１つインクリメントすることによって、送信電力のランプアップが１回適用される。  
前述したように、ＬＡＡセルにおいて、ランダムアクセスプリアンブル送信（ＰＲＡＣＨ送信）が行われる前に、ランダムアクセスプリアンブル送信に用いられるＰＲＡＣＨリソースを含むサブフレームに対して、ＬＢＴ手順が行われる必要がある。なお、端末装置１がＬＢＴ手順を行い、チャネルをビジーと判断した場合、端末装置１は、当該サブフレームにおいてランダムアクセスプリアンブルを送信しない。この場合、プリアンブル送信カウンタPREAMBLE_TRANSMISSION_COUNTERは１つインクリメントしなくて、維持される。すなわち、ＰＲＡＣＨ送信のための送信電力はランプアップされなくてもよい。ここで、ランダムアクセスプリアンブルが送信されなかったとしても、プリアンブルアテンプトカウンタは１つインクリメントされる。プリアンブルアテンプトカウンタについては後述する。
【０１８３】
また、ランダムアクセスプリアンブル送信に用いられるＰＲＡＣＨリソースを含むサブフレームが、ＤＣＩフォーマット１Ｃによって下りリンクサブフレームとして設定された場合、端末装置１は当該サブフレームにおいて、ランダムアクセスプリアンブルを送信しない。ここで、ＤＣＩフォーマット１Ｃに含まれる‘Subframeconfiguration for LAA’フィールドが次のサブフレームにおいて、下りリンク物理チャネルおよび／または物理信号の送信に用いられるＯＦＤＭシンボル数を示す場合、端末装置１は、当該サブフレームが下りリンクサブフレームと判断してもよい。ここで、下りリンク物理チャネルおよび／または物理信号の送信に用いられるＯＦＤＭシンボル数は１、または、１よりも大きい（０ではない）。つまり、ランダムアクセスプリアンブル送信に用いられるＰＲＡＣＨリソースを含むサブフレームが下りリンクサブフレームであった場合、当該下りリンクサブフレームにおいて、ランダムアクセスプリアンブル送信が行われない。この場合、プリアンブル送信カウンタPREAMBLE_TRANSMISSION_COUNTERは１つインクリメントしなくて、維持される。すなわち、ＰＲＡＣＨ送信のための送信電力はランプアップされなくてもよい。ここで、ランダムアクセスプリアンブルが送信されなかったとしても、プリアンブルアテンプトカウンタは１つインクリメントされる。プリアンブルアテンプトカウンタについては後述する。
【０１８４】
前述したように、ＬＡＡセルにおいて、メッセージ３送信が行われる前に、メッセージ３送信に用いられるサブフレームに対して、ＬＢＴ手順が行われる必要がある。なお、端末装置１がＬＢＴ手順を行い、チャネルをビジーと判断した場合、端末装置１は、当該サブフレームにおいてメッセージ３を送信しない。この場合、プリアンブル送信カウンタPREAMBLE_TRANSMISSION_COUNTERは１つインクリメントしなくて、維持される。すなわち、ＰＲＡＣＨ送信のための送信電力はランプアップされなくてもよい。ここで、メッセージ３が送信されなかったとしても、プリアンブルアテンプトカウンタは１つインクリメントされる。プリアンブルアテンプトカウンタについては後述する。
また、基地局装置３は、ランダムアクセスプリアンブル送信に対して、プリアンブルアテンプトカウンタPREAMBLE_ATTEMP_COUNTERを新たなパラメータとして、端末装置１に設定してもよい。当該プリアンブルアテンプトカウンタは送信電力がランプアップされた回数に対応しなくてもよい。当該プリアンブルアテンプトカウンタは、ランダムアクセスプリアンブル送信のために割り当てられたＰＲＡＣＨリソースを含むサブフレームにおいて、ランダムアクセスプリアンブル送信が上記の原因により実際に発生するかどうかと関わらず、インクリメントされてもよい。例えば、ＬＢＴ期間においてチャネルがアイドルと判断した場合、端末装置１は、当該割り当てられたＰＲＡＣＨリソースを含むサブフレームにおいてランダムアクセスプリアンブルを送信し、プリアンブルアテンプトカウンタを１つインクリメントしてもよい。また、ＬＢＴ期間においてチャネルがビジーと判断した場合、端末装置１は、当該割り当てられたＰＲＡＣＨリソースを含むサブフレームにおいてランダムアクセスプリアンブルを送信しなくても、プリアンブルアテンプトカウンタを１つインクリメントしてもよい。プリアンブルアテンプトカウンタの初期値が１に設定されてもよい。インクリメントされたプリアンブルアテンプトカウンタの値が所定の値（または、所定の値＋１）に達したら、端末装置１はランダムアクセス手順が不成功に終わったと見なしてもよい、または、ランダムアクセスプロブレムが発生したことを見なし上位層に通知してもよい。当該所定の値は、基地局装置３から受信したＲＲＣパラメータpreambleTransMaxに基づいて与えられてもよい。
【０１８５】
（ｉ）ランダムアクセスレスポンスウインドウ９０３の期間において、ランダムアクセスレスポンスを受信できなかった場合、または、（ｉｉ）受信したランダムアクセスレスポンスに、送信したランダムアクセスプリアンブルに対応するランダムアクセスプリアンブル識別子（インデックス）が含まれていなかった場合、端末装置１は、ランダムアクセスレスポンスの受信が成功裏に完了しなかったとみなし、尚且つ、プリアンブル送信カウンタおよびプリアンブルアテンプトカウンタを１つインクリメントしてもよい。
【０１８６】
端末装置１は、コンテンションレゾリューションタイマ（Contention Resolution Timer）９０５の期間において、コンテンションレゾリューションを受信できなかった場合、端末装置１は、コンテンションレゾリューションが成功裏に完了しなかったとみなし、尚且つ、プリアンブル送信カウンタを１つインクリメントしてもよい。ここで、コンテンションレゾリューションタイマ（Contention Resolution Timer）９０５の期間において、コンテンションレゾリューションを受信できなかった場合は、コンテンションレゾリューションタイマ（Contention Resolution Timer）が満了した場合であってもよい。
【０１８７】
ここで、端末装置１がＬＢＴ手順を行い、チャネルをビジーと判断したことに基づいて、ＰＲＡＣＨが送信されなかった場合、プリアンブル送信カウンタは１つインクリメントされなくてもよい。ここで、端末装置１がＬＢＴ手順を行い、チャネルをビジーと判断したことに基づいて、ＰＲＡＣＨが送信されなかったとしても、プリアンブルアテンプトカウンタは１つインクリメントされる。
【０１８８】
ここで、メッセージ３送信に用いられるサブフレームが、ＤＣＩフォーマット１Ｃによって下りリンクサブフレームとして設定された場合、端末装置１は当該サブフレームにおいて、メッセージ３を送信しない。ここで、ＤＣＩフォーマット１Ｃに含まれる‘Subframeconfiguration for LAA’フィールドが次のサブフレームにおいて、下りリンク物理チャネルおよび／または物理信号の送信に用いられるＯＦＤＭシンボル数を示す場合、端末装置１は、当該サブフレームが下りリンクサブフレームと判断してもよい。つまり、メッセージ３送信に割り当てられたサブフレームが下りリンクサブフレームであった場合、当該下りリンクサブフレームにおいて、メッセージ３送信が行われない。ここで、下りリンク物理チャネルおよび／または物理信号の送信に用いられるＯＦＤＭシンボル数は１、または、１よりも大きい（０ではない）。この場合、プリアンブル送信カウンタは１つインクリメントしなくて、維持される。すなわち、ＰＲＡＣＨ送信のための送信電力はランプアップされなくてもよい。ここで、メッセージ３が送信されなかったとしても、プリアンブルアテンプトカウンタは１つインクリメントされる。
【０１８９】
ここで、受信したランダムアクセスレスグラントに含まれる‘Flag for triggeredscheduling’フィールドが１にセットされている場合、端末装置１は、受信したランダムアクセスレスポンスに含まれているランダムアクセスレスポンスグラントに基づいて、有効期間（Validation duration）ｖという期間内において、ＣＣ−ＲＮＴＩによってスクランブルされたＣＲＣパリティビットが付加されたＤＣＩフォーマット１Ｃを検出（モニタ、デコード）してもよい。有効期間の長さｖの値は、ランダムアクセスレスポンスグラントに含まれるTiming offset’フィールドの第３および第４の情報ビットから示される。端末装置１が、有効期間（Validation duration）ｖという期間内において、ＣＣ−ＲＮＴＩによってスクランブルされたＣＲＣパリティビットが付加されたＤＣＩフォーマット１Ｃを検出できなかった場合、端末装置１は、メッセージ３を送信しなくてもよい。この場合、プリアンブル送信カウンタは１つインクリメントしなくて、維持される。すなわち、ＰＲＡＣＨ送信のための送信電力はランプアップされなくてもよい。ここで、メッセージ３が送信されなかったとしても、プリアンブルアテンプトカウンタは１つインクリメントされる。
【０１９０】
図１０は、本実施形態におけるメッセージ３送信の一例を示す図である。図１０において、ランダムアクセスレスポンスグラントに含まれる‘Flag for triggered scheduling
’フィールドは０にセットされている。または、図１０において、ランダムアクセスレスポンスグラントに‘Flagfor triggered scheduling’フィールドは含まれていない。
【０１９１】
図１０の（Ａ）、および、（Ｂ）はメッセージ３の送信に割り当てられるサブフレームの数に基づいて、区別されてもよい。即ち、メッセージ３の送信のために１つ、または、それより多いサブフレームが割り当てられてもよい。
【０１９２】
また、ＬＡＡセルにおいて、メッセージ３送信のために割り当てられる１つより多いサブフレームは連続的に割り当てられてもよい。また、メッセージ３送信のために割り当てられる１つより多いサブフレームは非連続的に割り当てられてもよい。割り当てられたサブフレームの数および／または割り当てられたサブフレーム間の間隔の値は、以下の要素の一部、または、全部に少なくともに基づいて、示されてもよい。割り当てられたサブフレーム間の間隔の値は、サブフレームの数として定義されてもよい。
・（ｉ）ランダムアクセスレスポンスグラント
・（ｉｉ）ＲＲＣメッセージ／ＲＲＣ層のパラメータ
・（ｉｉｉ）予め仕様書の設定
・（ｉｖ）システム情報
（ｉ）ランダムアクセスレスポンスグラントに新たなフィールドが定義される。当該フィールドは、端末装置１にメッセージ３の送信に割り当てられるサブフレームの数および／または割り当てられたサブフレームの間の間隔の値を示してもよい。
【０１９３】
該ランダムアクセスレスポンスグラントは、‘number of scheduled subframes’フィールドを含んでもよい。つまり、メッセージ３送信に割り当てられるサブフレームの数は、‘number of scheduled subframes’フィールドに基づき与えられてもよい。また、該ランダムアクセスレスポンスグラントは、ＤＣＩ  ｆｏｒｍａｔ０Ｂ／４Ｂと同様のフォーマットであってもよい。
【０１９４】
（ｉｉ）基地局装置３は、端末装置１にメッセージ３の送信に割り当てられるサブフレームの数および／または割り当てられたサブフレームの間の間隔の値を、ＲＲＣメッセージによって通知してもよい。
【０１９５】
（ｉｉｉ）メッセージ３の送信に割り当てられるサブフレームの数および／または割り当てられたサブフレームの間の間隔の値は、仕様書などによって定義され、基地局装置３と端末装置１との間において、既知の値であってもよい。
【０１９６】
（ｉｖ）メッセージ３の送信に割り当てられるサブフレームの数および／または割り当てられたサブフレームの間の間隔の値は、ＬＡＡセルランダムアクセス手順情報の一部として、システム情報（ＳＩＢ；System Information Block）によって端末装置１に通知されてもよい。
【０１９７】
また、端末装置１は、要素間の組み合わせに基づいて、メッセージ３の送信に割り当てられるサブフレームの数および／または割り当てられたサブフレームの間の間隔の値を決定してもよい。例えば、ランダムアクセスレスポンスグラントは、メッセージ３の送信に用いられる最初のサブフレームをスケジュールしてもよい。他のメッセージ３の送信に用いられるサブフレームの数および／または割り当てられたサブフレームの間の間隔の値は、ＲＲＣメッセージによって、基地局装置３から通知されてもよい。また、例えば、基地局装置は、サブフレームの間の間隔の値だけを端末装置１に通知してもよい。そして、端末装置１は、最初のサブフレームおよびサブフレームの間の間隔の値に基づいて、semi-persistent-schedulingのように、メッセージ３の送信に用いられるサブフレームを決定してもよい。
【０１９８】
図１０の（Ａ）において、メッセージ３送信に用いられるサブフレームが１つ割り当てられる。端末装置１は、ＰＲＡＣＨ（１００１）を用いて、ランダムアクセスプリアンブルを送信する。端末装置１は、ランダムアクセスレスポンスウインドウ１００２においてランダムアクセスレスポンス１００３を受信する。端末装置１は、受信したランダムアクセスレスポンス１００３に含まれているランダムアクセスレスポンスグラントに基づいて、メッセージ３の送信に用いられる送信タイミング（サブフレーム１００５）と周波数リソースを決定する。そして、決定されたサブフレーム１００５において、メッセージ３送信が行われる。端末装置１がＬＢＴ期間１００４においてＬＢＴ手順を行い、チャネルがビジーと判断した場合、端末装置１はサブフレーム１００５において、メッセージ３を送信しない。端末装置１がＬＢＴ期間１００４においてＬＢＴ手順を行い、チャネルがアイドルと判断した場合、端末装置１はサブフレーム１００５において、メッセージ３を送信する。
【０１９９】
また、メッセージ３送信に用いられるサブフレームが、ＤＣＩフォーマット１Ｃによって下りリンクサブフレームとして設定された場合、端末装置１は当該サブフレームにおいて、メッセージ３を送信しない。ここで、ＤＣＩフォーマット１Ｃに含まれる‘Subframe configurationfor LAA’フィールドが次のサブフレームにおいて、下りリンク物理チャネルおよび／または物理信号の送信に用いられるＯＦＤＭシンボル数を示す場合、端末装置１は、当該サブフレームが下りリンクサブフレームと判断してもよい。つまり、メッセージ３送信に割り当てられたサブフレームが下りリンクサブフレームであった場合、当該下りリンクサブフレームにおいて、メッセージ３送信が行われない。ここで、下りリンク物理チャネルおよび／または物理信号の送信に用いられるＯＦＤＭシンボル数は１、または、１よりも大きい（０ではない）。
【０２００】
また、受信したランダムアクセスレスグラントに含まれる‘Flag for triggeredscheduling’フィールドが１にセットされている場合、端末装置１は、受信したランダムアクセスレスポンスに含まれているランダムアクセスレスポンスグラントに基づいて、有効期間（Validation duration）ｖという期間内において、ＣＣ−ＲＮＴＩによってスクランブルされたＣＲＣパリティビットが付加されたＤＣＩフォーマット１Ｃを検出（モニタ、デコード）してもよい。有効期間の長さｖの値は、ランダムアクセスレスポンスグラントに含まれるTiming offset’フィールドの第３および第４の情報ビットから示される。端末装置１が、有効期間（Validation duration）ｖという期間内において、ＣＣ−ＲＮＴＩによってスクランブルされたＣＲＣパリティビットが付加されたＤＣＩフォーマット１Ｃを検出できなかった場合、端末装置１は、メッセージ３を送信しなくてもよい。
【０２０１】
端末装置１が上記の原因により、メッセージ３送信に割り当てられたサブフレームにおいてメッセージ３を送信しなくてドロップした場合、端末装置１は、メッセージ３バッファ（Msg3 buffer）にＭＡＣＰＤＵの送信に用いられるＨＡＲＱバッファをフラッシュ（flush）してもよい。
【０２０２】
また、端末装置１が上記の原因により、メッセージ３送信に割り当てられたサブフレームにおいてメッセージ３を送信しなくてドロップした場合、端末装置１の物理層は、パワーランピングサスペンションインジケータpower ramping suspension indicatorを上位層へ通知してもよい。上位層が物理層からパワーランピングサスペンションの通知を受け取った場合、送信電力がランプアップされた回数に対応しているプリアンブル送信カウンタが１つインクリメントされなくてもよい。また、プリアンブルアテンプトカウンタが設定された場合、プリアンブルアテンプトカウンタは、上位層が物理層からパワーランピングサスペンションの通知を受け取ったかどうかとかかわらず、１つインクリメントされてもよい。即ち、プリアンブルアテンプトカウンタが設定され、且つ、上位層が物理層からパワーランピングサスペンションの通知を受け取った場合、プリアンブルアテンプトカウンタは、１つインクリメントされてもよい。また、プリアンブルアテンプトカウンタが設定され、且つ、上位層が物理層からパワーランピングサスペンションの通知を受け取った場合、プリアンブルアテンプトカウンタは、１つインクリメントされてもよい。
【０２０３】
ランダムアクセスレスポンスウインドウ９０３の期間において、（ｉ）ランダムアクセスレスポンスを受信できなかった場合、または、（ｉｉ）受信したランダムアクセスレスポンスに、送信したランダムアクセスプリアンブルに対応するランダムアクセスプリアンブル識別子（インデックス）が含まれていなかった場合、且つ、上位層が物理層からパワーランピングサスペンションの通知を受け取っていないならば、端末装置１は、プリアンブル送信カウンタを１つインクリメントしてもよい。ここで、プリアンブルアテンプトカウンタは１つインクリメントされてもよい。
【０２０４】
ランダムアクセスレスポンスウインドウ９０３の期間において、（ｉ）ランダムアクセスレスポンスを受信できなかった場合、または、（ｉｉ）受信したランダムアクセスレスポンスに、送信したランダムアクセスプリアンブルに対応するランダムアクセスプリアンブル識別子（インデックス）が含まれていなかった場合、且つ、上位層が物理層からパワーランピングサスペンションの通知を受け取っているならば、端末装置１は、プリアンブル送信カウンタを１つインクリメントしなくてもよい。ここで、プリアンブルアテンプトカウンタは１つインクリメントされてもよい。
【０２０５】
端末装置１は、コンテンションレゾリューションタイマ（Contention Resolution Timer）９０５の期間において、コンテンションレゾリューションを受信できなかった場合において、上位層が物理層からパワーランピングサスペンションの通知を受け取っていないならば、端末装置１は、プリアンブル送信カウンタを１つインクリメントしてもよい。ここで、プリアンブルアテンプトカウンタは１つインクリメントされてもよい。
【０２０６】
端末装置１は、コンテンションレゾリューションタイマ（Contention Resolution Timer）９０５の期間において、コンテンションレゾリューションを受信できなかった場合において、上位層が物理層からパワーランピングサスペンションの通知を受け取っているならば、端末装置１は、プリアンブル送信カウンタを１つインクリメントしなくてもよい。ここで、プリアンブルアテンプトカウンタは１つインクリメントされてもよい。
【０２０７】
次いで、端末装置１がサブフレーム１００５において、メッセージ３を送信しない（または、ランダムアクセスレスポンスグラントの受信が成功裏に完了しない）場合、動作１または動作２を実行してもよい。端末装置１が、動作１または動作２の何れかを実行するかを基地局装置３から予め設定してもよい。
【０２０８】
動作１は、ＰＲＡＣＨを用いてランダムアクセスプリアンブルの送信を自動的に行う動作である（または、ランダムアクセスリソースの選択に戻る、または、ランダムアクセスリソースの選択を行い、再度ＰＲＡＣＨを用いてランダムアクセスプリアンブル送信を行う）。即ち、端末装置１はＰＲＡＣＨ１００６を用いてランダムアクセスプリアンブル送信を自動的に再開する。
【０２０９】
動作２には、端末装置１は所定の期間において、新たなランダムアクセスレスポンスを再受信してもよい。即ち、図１０の（Ａ）の場合、端末装置１は、所定の期間１００７において、ランダムアクセスレスポンス１００８を再受信してもよい。当該所定の期間１００７は、サブフレームの数として定義されてもよい。その所定の期間長は、仕様書やシステム情報などによって予め決められた値であってもよい。また、その値は、基地局装置３から端末装置１に、ＲＲＣシグナリングによって通知されてもよい。また、その値は、ランダムアクセスレスポンスグラントに含まれるフィールドによって、示されてもよい。
【０２１０】
また、所定の期間１００７の開始位置は、メッセージ３の送信に用いられるサブフレーム１００５より後の１つ、または、それより多いサブフレームであってもよい。その値は、仕様書やシステム情報などによって予め決められた値であってもよい。また、その値は、基地局装置３から端末装置１に、ＲＲＣシグナリングによって通知されてもよい。また、その値は、ランダムアクセスレスポンスグラントに含まれるフィールドによって、示されてもよい。また、端末装置１が所定の期間１００７において、新たなランダムアクセスレスポンス１００８を受信しなかった場合、動作１を実行してもよい。即ち、端末装置１はＰＲＡＣＨ（１００９）を用いて、ランダムアクセスプリアンブル送信を自動的に再開してもよい。
【０２１１】
次に、図１０の（Ｂ）において、メッセージ３送信に用いられるサブフレームが１つより多く割り当てられた場合、メッセージ３の送信について、説明する。
【０２１２】
図１０の（Ｂ）において、例えば、端末装置１は、少なくとも受信したランダムアクセスレスポンス１０１３に含まれているランダムアクセスレスポンスグラントに基づいて、メッセージ３送信に用いられる複数のサブフレーム１０１５、１０１７および１０１９を決定してもよい。ここで、サブフレーム１０１５、１０１７および１０１９が連続的に割り当てられてもよい。また、サブフレーム１０１５、１０１７および１０１９が非連続的に割り当てられてもよい。
【０２１３】
前述したように、ＬＡＡセルにおいて、端末装置１は、割り当てられたサブフレームにおけるメッセージ３の送信を行う前に、ＬＢＴ手順を行う必要がある。ここで、ＬＢＴ手順の決め方は図８におけるＬＢＴ手順の決め方と同様であってもよい。端末装置１があるサブフレームにおいて、ＬＢＴ手順によってチャネルがアイドルと判断した場合、端末装置１は、当該サブフレームと連続する後のサブフレームに対して、ＬＢＴ手順を行わなくてもよい。また、端末装置１があるサブフレームにおいて、ＬＢＴ手順によってチャネルがアイドルと判断した場合、端末装置１は、当該サブフレームより後の非連続するサブフレームに対して、ＬＢＴ手順を再び行う必要がある。
【０２１４】
例えば、図１０の（Ｂ）において、メッセージ３の送信に用いられるサブフレーム１０１５、１０１７および１０１９が非連続的に割り当てられた場合、端末装置１は、サブフレーム１０１５、１０１７および１０１９の各々において、メッセージ３の送信を行う前に、ＬＢＴ手順を行ってもよい。
【０２１５】
次いで、１つより多いサブフレームにおけるメッセージ３の送信方法を具体的に説明する。ここで、１つより多いサブフレームは連続的に割り当てられてもよいし、非連続的に割り当てられてもよい。
【０２１６】
一例として、例えば、端末装置１が割り当てられたあるサブフレームにおいて、ＬＢＴ手順を行い、チャネルがアイドルと判断した場合、端末装置１は、当該サブフレームにおいてメッセージ３を送信する。そして、端末装置１は、メッセージ３が送信されたサブフレームより後の割り当てられるサブフレームにおいて、メッセージ３を送信しなくてもよい。即ち、端末装置１は、チャネルがアイドルと最初に判断されたサブフレームにおいて、メッセージ３を１回送信する。端末装置１は、チャネルがアイドルと最初に判断されたサブフレーム以外の割り当てられたサブフレームにおいて、メッセージ３を送信しなくてもよい。
【０２１７】
また、他の一例として、例えば、端末装置１は、チャネルがアイドルと判断された全てのサブフレームにおいて、メッセージ３を複数回送信してもよい。送信方法として、端末装置１は、送信できるサブフレームにおいて、メッセージ３（初期送信）を重複して送信してもよい。また、端末装置１、送信できるサブフレームにおいて、TTI bundling仕組みのように、メッセージ３の初期送信、および、ノンアダプティブ再送信を冗長バージョン（Redundancy Version）の順に行ってもよい。冗長バージョンは、ＰＵＳＣＨで送信されるトランスポートブロックの符号化（レートマッチング）のために用いられる。冗長バージョンは、０、２、３、１の順にインクリメントされてもよい。ノンアダプティブ再送信は、前のメッセージ３の送信に対するフィードバック（上りリンクグラント、および、ＨＡＲＱフィードバック）を待たずにトリガーされる。ここで、例えば、サブフレーム１０１５、１０１７および１０１９はＬＢＴ手順に基づいて、メッセージ３の送信に用いられる。そして、端末装置１は、最初のサブフレーム１０１５において、メッセージ３の初期送信(冗長バージョンが０である)を行う。続いて、端末装置１は、サブフレーム１０１７において、メッセージ３の再送信（冗長バージョンが２である）を行う。また、端末装置１は、サブフレーム１０１９において、メッセージ３の再送信（冗長バージョンが３である）を行う。
【０２１８】
また、メッセージ３の送信のために割り当てられた全てのサブフレームに対して、チャネルがビジーと判断した場合、端末装置１は、メッセージ３を送信しなくてドロップしてもよい。端末装置１がメッセージ３送信のために割り当てられた全てのサブフレームにおいて、メッセージ３の送信をドロップした場合、端末装置１は、パワーランピングサスペンションインジケータpower ramping suspension indicatorを上位層へ通知してもよい。また、端末装置１がメッセージ３送信のために割り当てられた全てのサブフレームにおいて、メッセージ３の送信をドロップした場合、端末装置１は、メッセージ３バッファ（Msg3 buffer）にＭＡＣ  ＰＤＵの送信に用いられるＨＡＲＱバッファをフラッシュ（flush）してもよい。また、端末装置１がメッセージ３送信のために割り当てられた全てのサブフレームにおいて、メッセージ３の送信をドロップした場合、端末装置１は動作１を実行して、ＰＲＡＣＨを用いてランダムアクセスプリアンブル送信を自動的に再開してもよい。即ち、図１０の（Ｂ）において、ＬＢＴ手順に基づいて、サブフレーム１０１５、１０１７および１０１９において、メッセージ３が送信できない場合、端末装置１はＰＲＡＣＨ１０２０を用いてランダムアクセスプリアンブル送信を再開してもよい。また、図１０の（Ｂ）において、ＬＢＴ手順に基づいて、サブフレーム１０１５、１０１７および１０１９において、メッセージ３が送信できない場合、端末装置１は、図１０の（Ａ）のように、動作２へ切り替えてもよい。
【０２１９】
また、コンテンションベースランダムアクセス手順において、メッセージ３の送信に対して、新たなメッセージ３アテンプトカウンタ（Msg3_attempt_counter）が設定されてもよい。メッセージ３アテンプトカウンタの初期値は、１または０に設定されてもよい。当該メッセージ３アテンプトカウンタは、ＬＢＴ手順に関係なく、メッセージ３アテンプトごとにカウントアップし、１つインクリメントしてもよい。
【０２２０】
即ち、当該メッセージ３アテンプトカウンタは、メッセージ３送信のために割り当てられたサブフレームにおいて、メッセージ３送信が実際に発生するかどうかと関わらず、インクリメントされてもよい。例えば、ＬＢＴ期間においてチャネルがアイドルと判断した場合、端末装置１は、当該割り当てられたサブフレームにおいてメッセージ３を送信し、メッセージ３アテンプトカウンタを１つインクリメントしてもよい。また、ＬＢＴ期間においてチャネルがビジーと判断した場合、端末装置１は、当該割り当てられたサブフレームにおいてメッセージ３を送信しなくても、メッセージ３アテンプトカウンタを１つインクリメントしてもよい。
【０２２１】
インクリメントされたメッセージ３アテンプトカウンタの値が所定の値（または、所定の値＋１）に達したら、端末装置１は、メッセージ３バッファ（Msg3 buffer）にＭＡＣ  ＰＤＵの送信に用いられるＨＡＲＱバッファをフラッシュ（flush）してもよい。また、インクリメントされたメッセージ３アテンプトカウンタの値が所定の値（または、所定の値＋１）に達したら、端末装置１は、パワーランピングサスペンションインジケータpower ramping suspension indicatorを上位層へ通知してもよい。また、インクリメントされたメッセージ３アテンプトカウンタの値が所定の値（または、所定の値＋１）に達したら、端末装置１はランダムアクセスが失敗したとみなし、ＰＲＡＣＨを用いてランダムアクセスプリアンブル送信を再開してもよい。この場合、メッセージ３アテンプトカウンタは初期値１に再設定されてもよい。
【０２２２】
また、インクリメントされたメッセージ３アテンプトカウンタの値が所定の値（または、所定の値＋１）に達したら、端末装置１はランダムアクセスプロブレムが発生したことを見なし、上位層に通知してもよい。当該所定の値は、基地局装置３から受信したＲＲＣパラメータに基づいて与えられてもよい。
【０２２３】
図１１は、本実施形態におけるメッセージ３送信を行う他の一例を示す図である。図１１において、ランダムアクセスレスポンスグラントに含まれる‘Flag for triggered scheduling’フィールドは１にセットされている。
【０２２４】
また、図１１において、メッセージ３送信のためのＬＢＴ手順は、図８のＰＵＳＣＨ送信ためのＬＢＴ手順と同様に決定されてもよい。
【０２２５】
図１１の（Ａ）および（Ｂ）はメッセージ３の送信に割り当てられるサブフレームの数に基づいて、区別されてもよい。メッセージ３の送信に割り当てられるサブフレームの数が１つであった場合、図１１の（Ａ）が適用される。また、メッセージ３の送信に割り当てられるサブフレームの数が１つより大きい場合、図１１の（Ｂ）が適用される。
【０２２６】
図１１の（Ａ）において、端末装置１は、ＰＲＡＣＨ（１１０１）を用いてランダムアクセスプリアンブル送信を行う。端末装置１は、ランダムアクセスレスポンスウインドウ１１０２においてランダムアクセスレスポンス１１０３を受信する。端末装置１は、受信したランダムアクセスレスポンス１１０３に含まれているランダムアクセスレスポンスグラントに基づいて、有効期間（Validation duration）ｖという期間内において、ＣＣ−ＲＮＴＩによってスクランブルされたＣＲＣパリティビットが付加されたＤＣＩフォーマット１Ｃ１１０４を検出（モニタ、デコード）してもよい。有効期間の長さｖの値は、ランダムアクセスレスポンスグラントに含まれるTiming offset’フィールドの第３および第４の情報ビットから示される。
【０２２７】
次いて、端末装置１は、受信したランダムアクセスレスポンス１００３に含まれているランダムアクセスレスポンスグラントおよびＤＣＩフォーマット１Ｃに基づいて、メッセージ３の送信に用いられる送信タイミング（サブフレーム１１０６）と周波数リソースを決定する。そして、決定されたサブフレーム１１０６において、メッセージ３送信が行われる。端末装置１はメッセージ３の送信を行う前に、ＬＢＴ期間１１０５においてＬＢＴ手順を行ってもよい。端末装置１が期間１１０５においてＬＢＴ手順を行い、チャネルがビジーと判断した場合、端末装置１はサブフレーム１１０６において、メッセージ３を送信しない。端末装置１がＬＢＴ期間１１０５においてＬＢＴ手順を行い、チャネルがアイドルと判断した場合、端末装置１はサブフレーム１１０６において、メッセージ３を送信する。
【０２２８】
端末装置１がサブフレーム１１０６において、メッセージ３を送信しない場合、動作１または動作２を実行してもよい。動作１または動作２を実行してもよい。端末装置１が、動作１または動作２の何れかを実行するかを基地局装置３から予め設定してもよい。ここで、動作１および動作２は、図１０の（Ａ）の動作１および動作２と同様であってもよい。
【０２２９】
次に、図１１の（Ｂ）はメッセージ３送信に用いられるサブフレームが複数に設定された場合、メッセージ３の送信の例である。
【０２３０】
ここで、複数のサブフレームにおけるメッセージ３の送信方法は、図１０の（Ｂ）におけるメッセージ３の送信方法と同様であるため、説明を省略する。即ち、図１０の動作とメッセージ３の送信方法は、図１１にも適用されてもよい。
【０２３１】
また、本実施形態におけるコンテンションベースランダムアクセス手順において、新たなランダムアクセスアテンプトカウンタが設定されてもよい。少なくとも以下のイベントが起こった場合、ランダムアクセスアテンプトカウンタは、１つインクリメントされてもよい。
（ｉ）ランダムアクセスレスポンスウインドウにおいて、ランダムアクセスレスポンスを検出できない。
（ｉｉ）メッセージ３送信のために割り当てられたサブフレームにおいて、メッセージ３を送信できない。
（ｉｉｉ）コンテンションレゾリューションタイマ期間において、コンテンションレゾリューションを検出できない。
【０２３２】
ランダムアクセスアテンプトカウンタの初期値は１に設定されてもよい。ここで、ランダムアクセスアテンプトカウンタのインクリメントの後に、アテンプトカウンタの値が所定の値に達した場合に、端末装置１はランダムアクセス手順が不成功に終わったとみなす、または、ランダムアクセスプロブレムを端末装置１の上位層（ＲＲＣ層）に示す。端末装置１の上位層（ＲＲＣ層）は、ランダムアクセスプロブレムが発生したことを、基地局装置３の上位層（ＲＲＣ層）に通知してもよい。また、当該所定の値は、基地局装置３から受信したＲＲＣパラメータに基づいて与えられてもよい。
【０２３３】
以下、本実施形態における、端末装置１および基地局装置３の種々の態様について説明する。
【０２３４】
（１）本実施形態の第１の態様は、端末装置１であって、上りリンクＬＢＴ手順を行うチャネル測定部２０８と、ＬＡＡセルにおいてメッセージ３を送信する送信処理部２０９と、を備え、前記メッセージ３の送信のために１つ、または、それより多いサブフレームが割り当てられ、前記送信処理部２０９は、前記１つ、または、それより多いサブフレームの全てに対して、チャネルがビジーと判断された場合、ランダムアクセスプリアンブルの送信に対するＬＢＴ手順を開始する。
【０２３５】
（２）本実施形態の第１の態様において、前記割り当てられた１つ、または、それより多いサブフレームにおいて、チャネルがアイドルと最初に判断されたサブフレームにおいて、前記メッセージ３が送信され、チャネルがアイドルと最初に判断されたサブフレーム以外の前記割り当てられたサブフレームにおいて、前記メッセージ３が送信されない。
【０２３６】
（３）本実施形態の第１の態様において、前記メッセージ３の送信のために割り当てられるサブフレーム、および／または、割り当てられたサブフレーム間の間隔は少なくとも以下の要素の一部、または、全部に基づいて、与えられ
（ｉ）ランダムアクセスレスポンスグラント
（ｉｉ）ＲＲＣメッセージ、または、ＲＲＣ層のパラメータ
前記割り当てられるサブフレームは１つ、または、それより多いサブフレームを含み、前記割り当てられたサブフレーム間の間隔の値はサブフレーム数として定義される。
【０２３７】
（４）本実施形態の第１の態様において、前記メッセージ３の送信のために割り当てられるサブフレームが１つより多い場合、前記１つより多いサブフレームは連続して割り当てられてもよいし、非連続に割り当てられてもよい。
【０２３８】
（５）本実施形態の第２の態様は、基地局装置３であって、メッセージ３送信に用いられるサブフレームを割り当てる無線リソース制御部１０１１と、ＬＡＡセルにおいてメッセージ３を受信する受信処理部１０９と、を備え、前記メッセージ３の送信のために１つ、または、それより多いサブフレームが割り当てられ、前記受信処理部１０９は、前記１つ、または、それより多いサブフレームの全てにおいて、前記メッセージ３の受信ができなかった場合、ランダムアクセスプリアンブル送信を受信する。
【０２３９】
（６）本実施形態の第２の態様において、前記割り当てられた１つ、または、それより多いサブフレームにおいて、前記メッセージ３が受信された場合、前記メッセージ３が受信されたサブフレームより後の前記割り当てられたサブフレームにおいて、前記メッセージ３が受信されない。
【０２４０】
これにより、端末装置１は効率的に上りリンク送信を行うができる。また、基地局装置３は効率的に上りリンク送信の受信を行うことができる。
【０２４１】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（ReadOnly Memory)などの各種ＲＯＭやＨＤＤ（Hard Disk Drive）に格納され、必要に応じてＣＰＵによって読み出し、修正・書き込みが行われる。
【０２４２】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２４３】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２４４】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２４５】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２４６】
また、上述した実施形態における基地局装置３は、ＥＵＴＲＡＮ（Evolved UniversalTerrestrial Radio Access Network）であってもよい。また、上述した実施形態における基地局装置３は、ｅＮｏｄｅＢに対する上位ノードの機能の一部または全部を有してもよい。
【０２４７】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２４８】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２４９】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２５０】
１（１Ａ、１Ｂ、１Ｃ）  端末装置
３        基地局装置
１０１    上位層処理部
１０３    プリアンブル検出部
１０５    同期タイミング測定部
１０７    制御部
１０８    チャネル測定部
１０９    受信処理部
１１１    送信処理部
１０１１  無線リソース制御部
１０１２  ランダムアクセス制御部
１０１３  受信アンテナ  
１０１４  送信アンテナ
２０１    上位層処理部
２０３    制御部
２０５    受信処理部
２０７    プリアンブル生成部
２０８    チャネル測定部
２０９    送信処理部
２０１１  無線リソース制御部
２０１２  ランダムアクセス処理部
２０１３  受信アンテナ
２０１４  送信アンテナ
【図１】
2020010075.tif 000005
【図２】
2020010075.tif 000006
【図３】
2020010075.tif 000007
【図４】
2020010075.tif 000008
【図５】
2020010075.tif 000009
【図６】
2020010075.tif 000010
【図７】
2020010075.tif 000011
【図８】
2020010075.tif 000012
【図９】
2020010075.tif 000013
【図１０】
2020010075.tif 000014
【図１１】
2020010075.tif 000015